(57)【特許請求の範囲】
【請求項１】
情報を表示し、ペン基盤の入力及びタッチ基盤の入力の少なくとも一つを通じてユーザー入力を受信するタッチディスプレイスクリーン；及び
手書き情報が入力される手書き領域と、複数の下位メニューボタンが拡張された領域から選択可能であり、拡張されていない状態と拡張された状態との間で変化可能な拡張型メニューと、を含むユーザーインターフェースを前記タッチディスプレイスクリーン上に表示する動作をする制御部；を含み、
右手ユーザーモードのときに、ユーザーインターフェースが表示画面の左側に表示され、左手ユーザーモードのときに、ユーザーインターフェースが表示画面の右側に表示され、
前記拡張型メニューの前記拡張された領域は、前記拡張型メニューが前記拡張された状態であるときに前記手書き領域の一部をカバーし、
前記複数の下位メニューボタンのうち少なくとも１つは、前記タッチディスプレイスクリーンを通じて受信されるドラッグアンドドロップ方式のユーザー入力に基づいて、前記拡張型メニューの前記拡張された領域から前記拡張された領域の外側の位置に移動し、前記少なくとも１つの下位メニューボタンが前記拡張された領域の外側の位置に移動されたことに応答して、該移動された下位メニューボタンに対応する独立型メニューボタンを生成し、該生成される独立型メニューボタンは、前記拡張型メニューが前記拡張されていない状態であるときも、ユーザー再選択のために利用可能である、携帯用電気装置。
【請求項２】
前記右手ユーザーモードのときに、前記拡張されていない状態の前記拡張型メニューは、前記タッチディスプレイスクリーンの左上コーナーで表示され、前記拡張されていない状態の前記拡張型メニューは、第１の凸状の境界を有し、
第２の凸状の境界を有する前記拡張された状態の前記拡張型メニューは、前記タッチディスプレイスクリーンの左上コーナーで表示され、前記第２の凸状の境界の曲率半径は、前記第１の凸状の境界の曲率半径より大きい、請求項１に記載の携帯用電気装置。
【請求項３】
前記右手ユーザーモードのときに、前記ユーザーインターフェースは、ディスプレイ領域の左側エッジに沿って垂直に延長する第１のメニュー領域をさらに含み、
前記第１のメニュー領域は、前記拡張型メニューと関係なく選択された複数のユーザー選択型アイテムを含むためのものである、請求項１に記載の携帯用電気装置。
【請求項４】
前記左手ユーザーモードのときに、前記拡張されていない状態の前記拡張型メニューは、前記タッチディスプレイスクリーンの右上コーナーで表示され、前記拡張されていない状態の前記拡張型メニューは、第１の凸状の境界を有し、
第２の凸状の境界を有する前記拡張された状態の前記拡張型メニューは、前記タッチディスプレイスクリーンの右上コーナーで表示され、前記第２の凸状の境界の曲率半径は、前記第１の凸状の境界の曲率半径より大きい、請求項１に記載の携帯用電気装置。
【請求項５】
線の太さは、前記拡張された状態の前記拡張型メニューを通じて選択可能であり、
選択された線の太さ設定は、前記タッチディスプレイスクリーンを通じて受信されたユーザー入力に基づいて前記拡張型メニューの前記拡張された領域から前記拡張された領域の外側の位置に移動可能であり、前記選択された線の太さ設定は、前記拡張型メニューが前記拡張されていない状態であるとしても、ユーザーの再選択のために利用可能である、請求項１に記載の携帯用電気装置。
【請求項６】
前記タッチディスプレイスクリーンを支持するベゼルをさらに含み、
前記ベゼルに連結された少なくとも二つの近接センサーは、右手及び左手の接近を検出し、
前記制御部は、前記少なくとも二つの近接センサーからの情報に基づいて右手ユーザーモードで前記ユーザーインターフェースを表示するか、それとも、左手ユーザーモードで前記ユーザーインターフェースを表示するかを決定する、請求項１に記載の携帯用電気装置。
【請求項７】
前記タッチディスプレイスクリーンを支持するベゼルをさらに含み、
前記ベゼルに連結された少なくとも一つの近接センサーは、手の接近を検出し、
前記近接センサーからの情報に基づいてユーザーの手が前記ベゼルの一定距離内にないと前記制御部が決定すると、前記拡張型メニューは前記タッチディスプレイスクリーン上に表示されず、
前記近接センサーからの情報に基づいて前記ユーザーの手が前記ベゼルに近接していると前記制御部が決定すると、前記拡張型メニューは前記タッチディスプレイスクリーン上に表示される、請求項１に記載の携帯用電気装置。
【請求項８】
前記制御部は、前記少なくとも二つの近接センサーを非活性化させるための第１の入力を受信し、前記第１の入力に応答して前記少なくとも二つの近接センサーを非活性化させ、
前記制御部は、前記少なくとも二つの近接センサーを活性化させるための第２の入力を受信し、前記第２の入力に応答して前記少なくとも二つの近接センサーを活性化させる、請求項６に記載の携帯用電気装置。
【請求項９】
前記ユーザーインターフェースは、前記複数の下位メニューボタンを有する拡張型メニューボタンを含み、
前記拡張型メニューボタンは、前記拡張型メニューがタップされたときに拡張される、請求項１に記載の携帯用電気装置。
【請求項１０】
手書き情報が入力される手書き領域と、複数の下位メニューボタンが拡張された領域から選択可能であり、右手ユーザーモードのときに、ユーザーインターフェースが表示画面の左側に表示され、左手ユーザーモードのときに、ユーザーインターフェースが表示画面の右側に表示され、拡張されていない状態と拡張された状態との間で変化可能な拡張型メニューと、を含むユーザーインターフェースを携帯用電気装置のタッチディスプレイスクリーン上に表示することであって、前記拡張型メニューの前記拡張された領域は、前記拡張型メニューが前記拡張された状態であるときに前記手書き領域の一部をカバーすること；及び
前記複数の下位メニューボタンのうち少なくとも１つを、前記タッチディスプレイスクリーンを通じて受信されるドラッグアンドドロップ方式のユーザー入力に基づいて、前記拡張型メニューの前記拡張された領域から前記拡張された領域の外側の位置に移動し、前記少なくとも１つの下位メニューボタンが前記拡張された領域の外側の位置に移動されたことに応答して、該移動された下位メニューボタンに対応する独立型メニューボタンを生成し、該生成される独立型メニューボタンは、前記拡張型メニューが前記拡張されていない状態であるとしても、ユーザー再選択のために利用可能であること；を含む方法。
【請求項１１】
前記右手ユーザーモードのときに、第１の凸状の境界を有する前記拡張されていない状態の前記拡張型メニューを前記タッチディスプレイスクリーンの左上コーナーで表示すること；及び
前記第１の凸状の境界より曲率半径の大きい第２の凸状の境界を有する前記拡張された状態の前記拡張型メニューを前記タッチディスプレイスクリーンの左上コーナーで表示すること；をさらに含む、請求項１０に記載の方法。
【請求項１２】
前記右手ユーザーモードのときに、ディスプレイ領域の左側エッジに沿って垂直に延長する、前記拡張型メニューと関係なく選択された複数のユーザー選択型アイテムを含む第１のメニュー領域を表示することをさらに含む、請求項１０に記載の方法。
【請求項１３】
ディスプレイ領域の上側エッジに沿って水平に延長する、前記拡張型メニューと関係なく選択された複数のユーザー選択型アイテムを含む第２のメニュー領域を表示することをさらに含む、請求項１０に記載の方法。
【請求項１４】
前記左手ユーザーモードのときに、前記タッチディスプレイスクリーンの右上コーナーで第１の凸状の境界を有する前記拡張されていない状態の前記拡張型メニューを表示すること；及び
前記第１の凸状の境界より曲率半径の大きい第２の凸状の境界を有する前記拡張された状態の前記拡張型メニューを前記タッチディスプレイスクリーンの右上コーナーで表示すること；をさらに含む、請求項１０に記載の方法。
【請求項１５】
線の太さを前記拡張された状態の前記拡張型メニューを通じて選択可能にすること；及び
選択された線の太さ設定を、前記タッチディスプレイスクリーンを通じて受信されたユーザー入力に基づいて前記拡張型メニューの前記拡張された領域から前記拡張された領域の外側の位置に移動し、前記拡張型メニューが前記拡張されていない状態であるとしても、前記選択された線の太さ設定をユーザーの再選択のために利用可能にすること；をさらに含む、請求項１０に記載の方法。
【請求項１６】
右手と左手の接近を検出するための携帯用電気装置の二つの近接センサーを用いること；
前記二つの近接センサーからの情報に基づいて右手ユーザーモードで前記ユーザーインターフェースを表示するか、それとも、左手ユーザーモードで前記ユーザーインターフェースを表示するかを決定すること；
前記右手ユーザーモードで前記タッチディスプレイスクリーンの左側領域に前記ユーザーインターフェースの複数の頻繁に使用可能なアイテムを表示すること；及び
前記左手ユーザーモードで前記タッチディスプレイスクリーンの右側領域に前記ユーザーインターフェースの複数の頻繁に使用可能なアイテムを表示すること；をさらに含む、請求項１０に記載の方法。
【請求項１７】
手の接近を検出するための携帯用電気装置の近接センサーを用いること；
前記近接センサーからの情報に基づいて前記手が前記近接センサーの一定距離内に存在すると決定すること；
前記近接センサーからの情報に基づいて前記手が前記近接センサーの一定距離内に存在すると決定されたとき、前記タッチディスプレイスクリーン上の前記ユーザーインターフェースから前記拡張型メニューを除去すること；及び
前記近接センサーからの情報に基づいて前記手が前記近接センサーに接近していると決定されると、前記ユーザーインターフェース上の前記拡張型メニューを再表示すること；をさらに含む、請求項１０に記載の方法。
【請求項１８】
前記ユーザーインターフェースは、前記複数の下位メニューボタンを有する拡張型メニューボタンを含み、
前記拡張型メニューボタンは、前記拡張型メニューがタップされたときに拡張される、請求項１０に記載の方法。
【発明の詳細な説明】
【技術分野】
【０００１】
各実施例は、携帯用電子装置に関し、より詳細には、ディスプレイ上に情報を表示すると同時に、ペン基盤の入力またはタッチ基盤の入力を受信できる、ディスプレイを有するタブレットに関する。
【０００２】
タブレットは、ペン／スタイラス／タッチ基盤の入力が適用されるディスプレイを含むデバイスを称する。したがって、デバイスの実際の名前がタブレットと異なっていても、ペン／スタイラス／タッチ基盤の入力がデバイスのディスプレイに適用されると、タブレットのカテゴリー内に多様なタイプのデバイスが含まれる。例えば、ペン／スタイラス／タッチ基盤の入力が適用されるタッチスクリーンディスプレイを有する携帯電話、スマートパッド、ウェブパッド、マルチメディアデバイス、モニター、ゲーム機などが、タブレットのカテゴリー内に含まれる。
【背景技術】
【０００３】
コンピューター分野において、ペン／スタイラス／タッチ基盤の入力は、スマートパッド及びスマートフォンなどのモバイルコンピュータ装置の広範囲な使用と共に広く普及されている。ペン／スタイラス／タッチ基盤の入力を通じて、スマートパッド及びスマートフォン上で筆記したりドローイングすることができる。この機能は、学生等が講義時間に講義内容を筆記したり、会社員等が会議時間に会議内容を記録するなどの用途で広く使用されている。
【０００４】
ユーザーがペン／スタイラス／タッチ基盤の入力を通じて筆記またはドローイングする途中でメニュー（すなわち、ユーザーインターフェース）を操作しようとするときは、手を移動させてメニューを操作した後、筆記またはドローイング作業を再開しなければならない。したがって、筆記またはドローイング作業の連続性が確保されなく、作業効率が低下する。
【発明の概要】
【発明が解決しようとする課題】
【０００５】
一つ以上の実施例の一側面によると、タブレットにペン／スタイラス／タッチ基盤の入力を行うとき、入力作業の連続性を失わずにユーザーインターフェースを容易に操作する。
【課題を解決するための手段】
【０００６】
一つ以上の実施例の一側面によると、情報を表示し、情報を受信するディスプレイと；右手を用いて情報を入力する右手ユーザーモードでディスプレイの表示領域の左側にユーザーインターフェースを表示するようにディスプレイを制御し、左手を用いて情報を入力する左手ユーザーモードでディスプレイの表示領域の右側にユーザーインターフェースを表示するようにディスプレイを制御する制御部と；を含むタブレットが提供される。
【０００７】
情報は、ペン基盤の入力及びタッチ基盤の入力のうち少なくとも一つによって入力することができる。
【０００８】
タブレットは、ディスプレイを支持するベゼルをさらに含み、右手と左手の接近を検出するための少なくとも二つの近接センサーをベゼルに設けることができる。
【０００９】
少なくとも二つの近接センサーは、右手と左手の接近有無及び接近方向を検出することができる。
【００１０】
制御部は、少なくとも二つの近接センサーを非活性化させるための外部入力を受信し、外部入力に応答して少なくとも二つの近接センサーを非活性化させ、右手ユーザーモード及び左手ユーザーモードのうちいずれか一つを選択するための外部入力を受信し、右手ユーザーモード及び左手ユーザーモードのうちいずれか一つの選択に応答して右手ユーザーモード及び左手ユーザーモードのうちいずれか一つに動作モードを設定することができる。
【００１１】
制御部は、右手ユーザーモードでユーザーインターフェースをディスプレイの表示領域の左側に表示するようにディスプレイを制御し、左手ユーザーモードでユーザーインターフェースをディスプレイの表示領域の右側に表示するようにディスプレイを制御することができる。
【００１２】
制御部は、少なくとも二つの近接センサーを通じて検出される右手と左手の接近有無及び接近方向に基づいてユーザーインターフェースが表示される位置を決定することができる。
【００１３】
制御部は、少なくとも二つの近接センサーを活性化させるための外部入力を受信し、外部入力に応答して少なくとも二つの近接センサーを活性化させることができる。
【００１４】
制御部は、左手の接近が検出されると、ユーザーインターフェースをディスプレイの表示領域の左側に表示するようにディスプレイを制御し、右手の接近が検出されると、ユーザーインターフェースをディスプレイの表示領域の右側に表示するようにディスプレイを制御することができる。
【００１５】
制御部は、左手の接近が検出されると、右手ユーザーモードを設定し、右手の接近が検出されると、左手ユーザーモードを設定することができる。
【００１６】
ディスプレイの縦横比は、国際標準用紙規格の縦横比に従うことができる。
【００１７】
タブレットは、ユーザーイベントを受信し、受信されたユーザーイベントに対応する命令を発生させるパレットモジュールと；パレットモジュールから命令を受信し、ディスプレイを通じて情報の表示に関与するビューモジュールと；少なくとも一つのペンエンジンを通じてペン客体を生成するペン管理者モジュールと；をさらに含むことができる。
【００１８】
ビューモジュールは、レイヤー管理者モジュール及びレイヤーを有するキャンバスビューモジュールと；ノートのページに関する情報を管理するノート管理者モジュールと；ノート管理者モジュールからページのビットマップを受信し、ビットマップをユーザーイベントによって出力することによって画面を構成するアップページビューモジュールと；ノート管理者モジュールからページのビットマップを受信し、ビットマップをユーザーイベントによってアニメーションとして出力するカールビューモジュールと；を含むことができる。
【００１９】
キャンバスビューモジュールは、ビューモジュールからペン客体を受信し、レイヤー管理者モジュールから描こうとするビットマップを受信し、ユーザーイベントに応答してドローイングを行うことができる。
【００２０】
キャンバスビューモジュールのレイヤー管理者モジュールは、ノート管理者モジュールから現在のページ客体を受信し、レイヤーのアクションヒストリーを管理することができる。
【００２１】
レイヤーは、筆記またはドローイングが修正される度にアクションヒストリー客体を生成して保存することができる。
【００２２】
ディスプレイに表示されるページは、内容の追加／修正／削除が行われない第１のレイヤーと；内容の追加／修正／削除が行われる第２のレイヤーと；を含むことができる。
【００２３】
第１のレイヤーは、予め定められた書式を含む書式レイヤーであり得る。第１のレイヤーは、ユーザーによって入力された内容を含むテキスト及びイメージのうち少なくとも一つに対応し得る。
【００２４】
ユーザーインターフェースが表示される領域を含むディスプレイの表示領域全体は、筆記／ドローイング領域として使用することができる。
【００２５】
ユーザーインターフェースと筆記／ドローイング客体とが重なる領域では、ユーザーインターフェースが筆記／ドローイング客体の上側に表示され得る。
【００２６】
ユーザーインターフェースと筆記／ドローイング客体とが重なる領域では、ユーザーインターフェースがより鮮明に表示され、筆記／ドローイング客体が不鮮明に表示され得る。
【００２７】
近接センサーは、高周波発振型センサー、静電容量型センサー、磁気型センサー、光電型センサー及び超音波型センサーのうちいずれか一つに対応し得る。
【００２８】
タブレットは、タブレットが移動するときにタブレットの動的力を測定することによって、タブレットの運動状態を検出するための加速度センサーをさらに含むことができる。
【００２９】
加速度センサーは、ジャイロスコープセンサーであり得る。
【００３０】
制御部は、加速度センサーを通じてタブレットの回転を検出し、タブレットが回転するとき、タブレットの回転方向を考慮して右手ユーザーモード及び左手ユーザーモードのうちいずれか一つに対応するように、ユーザーインターフェースの位置を変更するようにディスプレイを制御することができる。
【００３１】
タブレットは、少なくとも一つのレンズを通じて投射される光信号を受信し、光信号を電気信号に変換するための光センサーをさらに含むことができる。
【００３２】
制御部は、変換された電気信号を用いて映像信号を生成することができる。
【００３３】
光センサーは、タブレット周辺の光量を検出するための照度センサーであり得る。
【００３４】
タブレットは、外部ポートを通じて有線通信を行い、アンテナを通じて無線通信を行う通信部をさらに含むことができる。
【００３５】
外部ポートは、ＵＳＢ（Ｕｎｉｖｅｒｓａｌ  Ｓｅｒｉａｌ  Ｂｕｓ）ポート及びファイアワイヤ（Ｆｉｒｅ  Ｗｉｒｅ）ポートのうち少なくとも一つに対応し得る。
【００３６】
タブレットは、オーディオデータを電気信号に変換してスピーカーに伝送したり、音波からマイクを通じて変換された電子信号をオーディオデータに変換するオーディオ信号処理部をさらに含むことができる。
【００３７】
ディスプレイは、タッチスクリーン及びディスプレイパネルからなり、タッチスクリーンは、ディスプレイパネルの前面、後面及び両面のうちいずれか一つに備えられ得る。
【００３８】
タッチスクリーンが抵抗膜式タッチスクリーンで、ディスプレイパネルが液晶表示装置であると、タッチスクリーンをディスプレイパネルの前面に配置することができる。
【００３９】
タッチスクリーンが抵抗膜式タッチスクリーンで、ディスプレイパネルが電子紙であると、タッチスクリーンをディスプレイパネルの前面及び後面のうちいずれか一つに配置することができる。
【００４０】
タッチスクリーンが静電容量方式タッチスクリーンであると、タッチスクリーンをディスプレイパネルの前面に配置することができる。
【００４１】
タッチスクリーンが電磁気誘導方式タッチスクリーンであると、タッチスクリーンをディスプレイパネルの後面に配置することができる。
【００４２】
タッチスクリーンとしてタッチ入力のための静電容量タッチパネルとペン入力のための電磁気誘導パネルが全て使用されると、静電容量方式タッチパネルをディスプレイパネルの前面に配置し、電磁気誘導パネルをディスプレイパネルの後面に配置することができる。
【００４３】
ユーザーインターフェースは、少なくとも一つの下位メニューボタンを有する拡張型メニューボタンを含むことができる。
【００４４】
拡張型メニューボタンがタップされると、拡張型メニューボタンが拡張され得る。拡張型メニューボタンの拡張された領域には、少なくとも一つの下位メニューボタンが表示され得る。
【００４５】
拡張型メニューボタンの拡張された領域に表示される少なくとも一つの下位メニューボタンを拡張された領域の外側に移動させると、少なくとも一つの下位メニューボタンが独立型メニューボタンに転換され得る。
【００４６】
少なくとも一つの下位メニューボタンは、ドラッグ＆ドロップ方式で拡張された領域の外側に移動させることができる。
【００４７】
少なくとも一つの下位メニューボタンは、色相設定のための第１の下位メニューボタン；ペン設定のための第２の下位メニューボタン；ツール設定のための第３の下位メニューボタン；及び線の太さを選択して設定するための第４の下位メニューボタンのうち少なくとも一つを含むことができる。
【００４８】
第１の下位メニューボタンは、選択される色相を色相環表示及びハニカム表示のうちいずれか一つの形態で表示するために用いられる。第１の下位メニューボタンがタップされる度に、色相環表示とハニカム表示がトグルされ得る。
【００４９】
第２の下位メニューボタンを通じて選択可能なペンの種類は、拡張型メニューボタンが拡張されたときにデフォルトとして表示され得る。
【００５０】
選択可能なペンの種類は、ペン、インクペン、筆ペン及びハイライトペンのうち少なくとも一つを含むことができる。
【００５１】
第４の下位メニューボタンは、スライド方向に線の太さが変化するスライドバーの形態であり得る。
【００５２】
第３の下位メニューボタンは、四角形状の切り取り／コピー／削除領域を選択するための第１のツール；自由な形状の切り取り／コピー／削除領域を選択するための第２のツール；切り取り／コピーを通じて選択された対象を所望の位置に貼り付けるための第３のツール；及び保存装置に保存されているイメージを取り出すための第４のツール；のうち少なくとも一つを含むことができる。
【００５３】
第１のツールを通じて四角領域が選択されると、選択された四角領域に対する切り取り／コピー／削除のうちいずれか一つを選択するためのポップアップが生成され得る。
【００５４】
第２のツールを通じて自由領域が選択されると、選択された自由領域に対する切り取り／コピー／削除のうちいずれか一つを選択するためのポップアップが生成され得る。
【００５５】
制御部は、切り取り／コピーを通じてクリップボードにデータが保存されている状態で第３のツールがタップされると、データを貼り付ける位置を指定し、指定された位置にデータが貼り付けられるように制御することができる。
【００５６】
制御部は、貼り付ける位置が指定されると、指定された位置にデータを貼り付けるどうかを確認するためのポップアップが生成されるように制御することができる。
【００５７】
制御部は、第４のツールがタップされると、予め保存されている各イメージの各サムネイルがディスプレイに表示されるようにディスプレイを制御し、ディスプレイに表示される各サムネイルから取り出されるイメージを選択することができる。
【００５８】
制御部は、取り出されるイメージが選択されると、イメージを貼り付ける位置を指定し、貼り付ける位置が指定されると、指定された位置に各イメージを貼り付けるかどうかを確認するためのポップアップが生成されるように制御することができる。
【００５９】
拡張型メニューボタンは、拡張された状態の拡張型メニューボタンがタップされると、拡張される前の状態に復帰することができる。
【００６０】
拡張型メニューボタンがプレスされると、速い消しゴムモードが提供され得る。拡張されていない状態の拡張型メニューボタンがプレスされると、ペン基盤の入力が消しゴムとして動作することができる。
【００６１】
ユーザーインターフェースは、予め定められた動作が行われるように少なくとも一つの独立型メニューボタンをさらに含むことができる。
【００６２】
少なくとも一つの独立型メニューボタンは、線の太さを調節し、ペンの種類を選択するための第１の独立型メニューボタン；ページレベルとノートレベルとの間の転換のための第２の独立型メニューボタン；色相を選択し、彩度を調節するための第３の独立型メニューボタン；ペン基盤の入力とタッチ基盤の入力との間の転換のための第４の独立型メニューボタン；予め定められた回数の単位作業を取り消し、以前の状態に復元するための第５の独立型メニューボタン；第５の独立型メニューボタンを通じて復元された単位作業の予め定められた回数だけ取り消すための第６の独立型メニューボタン；ソーシャルネットワークサービス（ＳＮＳ）または電子メールサービスを通じてコンテンツを伝送するための第７の独立型メニューボタン；現在のページの次に新たなページを生成するための第８の独立型メニューボタン；及び現在のページの筆記／ドローイング客体を全て削除するための第９の独立型メニューボタン；のうち少なくとも一つを含むことができる。
【００６３】
第１の独立型メニューボタンが一定時間以上プレスされると、線の太さ表示窓には、予め定められた複数の互いに異なる線の太さが、予め定められた最小太さから予め定められた最大太さに順次転換されるように表示され得る。
【００６４】
第１の独立型メニューボタンのプレス操作が終了すると、その操作の終了時に表示される線の太さが選択され、選択された線の太さで筆記／ドローイングが行われ得る。
【００６５】
第２の独立型メニューボタンがタップされると、ノートレベルとページレベルとの間の転換が行われ得る。
【００６６】
第３の独立型メニューボタンが一定時間以上プレスされると、彩度表示窓には、対応する色相の彩度レベルが、予め定められた最小値から予め定められた最大値に順次表示され得る。
【００６７】
第３の独立型メニューボタンのプレス操作が終了すると、その操作の終了時に表示される彩度レベルが選択され、選択された彩度レベルで筆記／ドローイングが行われ得る。
【００６８】
色相が無彩色であると、色相の彩度レベルの代わりに、明るさレベルが予め定められた最小値から予め定められた最大値に順次表示され得る。
【００６９】
第７の独立型メニューボタンがタップされると、現在のページを電子メールで伝送するためのポップアップが生成され、ポップアップを通じて提供された各メニューから選択されたメニューを通じて現在のページを電子メールで伝送することができる。
【００７０】
現在のページは、イメージに変換して伝送することができる。
【００７１】
ユーザーインターフェースは、ペンイベントとタッチイベントの全て応答して動作することができる。
【００７２】
独立型メニューボタンは、ディスプレイ上でのグラフィック的な表現を通じて弾性を有するように表現され得る。
【００７３】
独立型メニューボタンは、ディスプレイ上でのグラフィック的な表現を通じて磁性を有するように表現され得る。
【００７４】
拡張型メニューボタンがタップされると、ノートレベルの作業メニューを含む第１のノートレベルポップアップがノートレベルで生成され得る。
【００７５】
第１のノートレベルポップアップは、新たなノートを生成するための‘新たなノート生成’メニュー；及び既に生成されているＰＤＦファイルを取り出すための‘ＰＤＦ取り出し’メニュー；のうち少なくとも一つを含むことができる。
【００７６】
制御部は、‘新たなノート生成’メニューを選択すると、ノートカバーイメージと仮想キーボードを表示し、ノートカバーイメージの上端にはノートの題目を入力するための入力ボックスを表示し、仮想キーボードを通じて入力されるノートの題目を受信するようにディスプレイを制御し、入力された題目のノートを生成することができる。
【００７７】
制御部は、‘ＰＤＦ取り出し’メニューの選択に応答して、既に保存されている各ＰＤＦファイルのリストを表示するようにディスプレイを制御し、ＰＤＦファイルが選択されると、選択されたＰＤＦファイルを取り出し、取り出された各ＰＤＦファイルからなる新たなノートを生成することができる。
【００７８】
制御部は、選択されたＰＤＦファイルが取り出されるとき、取り出し状態を示す状態表示窓を通じて選択された各ＰＤＦファイルの取り出し状態が表示されるようにディスプレイを制御することができる。
【００７９】
ノートレベルで拡張型メニューボタンをプレスしながら少なくとも一つのノートを選択すると、ノートレベルの作業メニューを含む第２のノートレベルポップアップが生成され得る。
【００８０】
第２のノートレベルポップアップは、ノートをコピーするための‘コピー’メニュー；ノートを切り取るための‘切り取り’メニュー；ノートを削除するための‘削除’メニュー；ノートをＰＤＦファイルに変換した後、電子メールに添付して伝送するための‘ＰＤＦファイルを電子メールで伝送’メニュー；及びノートのカバーイメージを変更するための‘カバー変更’メニュー；のうち少なくとも一つを含むことができる。
【００８１】
制御部は、‘コピー’メニューの選択に応答して、コピーのために選択された少なくとも一つのノートを貼り付ける位置に関する情報を受信し、貼り付ける位置に関する情報を受信すると、コピーメニューポップアップを生成するようにディスプレイを制御し、コピーメニューポップアップの各メニューから選択されるメニューによって該当の制御動作を行うことができる。
【００８２】
コピーメニューポップアップは、コピーしたノートを選択された位置より前に貼り付けるための‘前に貼り付け’メニューと、コピーしたノートを選択された位置より後に貼り付けるための‘後に貼り付け’メニューと、コピーしたノートの内容を含む新たなノートを生成するための‘ノート生成’メニューとを含むことができる。
【００８３】
制御部は、‘切り取り’メニューの選択に応答して、切り取りのために選択された少なくとも一つのノートを貼り付ける位置に関する情報を受信し、貼り付ける位置に関する情報を受信すると、切り取りメニューポップアップを生成するようにディスプレイを制御し、切り取りメニューポップアップの各メニューから選択されたメニューによって該当の制御動作を行うことができる。
【００８４】
切り取りメニューポップアップは、切り取ったノートを選択された位置より前に貼り付けるための‘前に貼り付け’メニューと、切り取ったノートを選択された位置より後に貼り付けるための‘後に貼り付け’メニューと、切り取ったノートの内容を含む新たなノートを生成するための‘ノート生成’メニューとを含むことができる。
【００８５】
制御部は、‘削除’メニューの選択に応答して、選択された少なくとも一つのノートを削除することができる。
【００８６】
制御部は、‘ＰＤＦファイルを電子メールで伝送’メニューの選択に応答して、選択されたノートをＰＤＦファイルに変換し、電子メール作成画面を表示するようにディスプレイを制御し、電子メール作成画面にＰＤＦファイルを自動的に添付する。
【００８７】
電子メール作成画面は、受信者の電子メールアカウント、参照電子メールアカウント、題目及びファイル添付のための入力ボックスと、テキスト入力窓と、仮想キーボードとを含むことができる。
【００８８】
制御部は、‘カバー変換’メニューの選択に応答して新たなカバーを選択すると、少なくとも一つのカバーが表示されるようにディスプレイを制御し、選択されたノートのカバーを選択された新たなカバーに変更することができる。
【００８９】
カバーは、タブレットによってデフォルトとして提供することができる。カバーは、オンラインマーケットで購入することができる。カバーは、カスタマイズされて配布されるオーダーメイドのカバーであり得る。
【００９０】
拡張型メニューボタンがタップされると、ページレベルの作業メニューを含む第１のページレベルポップアップが生成され得る。
【００９１】
第１のページレベルポップアップは、新たなページを生成するための‘新たなページ生成’メニュー、及び既に生成されているＰＤＦファイルを取り出すための‘ＰＤＦ取り出し’メニューのうち少なくとも一つを含むことができる。
【００９２】
制御部は、‘新たなページ生成’メニューの選択に応答して、ディスプレイの表示領域に新たなページを表示するようにディスプレイを制御することができる。
【００９３】
制御部は、‘ＰＤＦ取り出し’メニューの選択に応答して、既に保存されている各ＰＤＦファイルのリストを表示するようにディスプレイを制御し、ＰＤＦファイルが選択されると、選択されたＰＤＦファイルを取り出し、ＰＤＦファイルを表示するようにディスプレイを制御することができる。
【００９４】
制御部は、選択されたＰＤＦファイルが取り出されるとき、取り出し状態を示す状態表示窓を通じて選択されたＰＤＦファイルの取り出し状態を表示するようにディスプレイを制御することができる。
【００９５】
ページレベルで拡張型メニューボタンをプレスしながら少なくとも一つのページを選択すると、ページレベルの作業メニューを含む第２のページレベルポップアップが生成され得る。
【００９６】
第２のページレベルポップアップは、ページをコピーするための‘コピー’メニュー、ページを切り取るための‘切り取り’メニュー、ページを削除するための‘削除’メニュー、ページをＰＤＦファイルに変換した後、電子メールに添付して伝送するための‘ＰＤＦファイルを電子メールで伝送’メニュー、及びページの中紙を変更するための‘中紙変更’メニューのうち少なくとも一つを含むことができる。
【００９７】
制御部は、‘コピー’メニューの選択に応答して、コピーのために選択された少なくとも一つのページを貼り付ける位置に関する情報を受信し、貼り付ける位置に関する情報を受信すると、コピーメニューポップアップを生成するようにディスプレイを制御し、コピーメニューポップアップの各メニューから選択された一つのメニューによって該当の制御動作を行うことができる。
【００９８】
コピーメニューポップアップは、コピーしたページを選択された位置より前に貼り付けるための‘前に貼り付け’メニュー、コピーしたページを選択された位置より後に貼り付けるための‘後に貼り付け’メニュー、及びコピーしたページの内容を含む新たなページを生成するための‘ページ生成’メニューを含むことができる。
【００９９】
制御部は、‘切り取り’メニューの選択に応答して、切り取りのために選択された少なくとも一つのページを貼り付ける位置に関する情報を受信し、貼り付ける位置に関する情報を受信すると、切り取りメニューポップアップを生成するようにディスプレイを制御し、切り取りメニューポップアップの各メニューから選択された一つのメニューによって該当の制御動作を行うことができる。
【０１００】
切り取りメニューポップアップは、切り取ったページを選択された位置より前に貼り付けるための‘前に貼り付け’メニュー、切り取ったページを選択された位置より後に貼り付けるための‘後に貼り付け’メニュー、及び切り取ったページの内容を含む新たなページを生成するための‘ページ生成’メニューを含むことができる。
【０１０１】
制御部は、‘削除’メニューの選択に応答して、少なくとも一つの選択されたページを削除することができる。
【０１０２】
制御部は、‘ＰＤＦファイルを電子メールで伝送’メニューの選択に応答して、選択されたページをＰＤＦファイルに変換し、電子メール作成画面を表示するようにディスプレイを制御し、電子メール作成画面にＰＤＦファイルを自動的に添付することができる。
【０１０３】
電子メール作成画面は、受信者の電子メールアカウント、参照電子メールアカウント、題目及びファイル添付のための入力ボックスと、テキスト入力窓と、仮想キーボードとを含むことができる。
【０１０４】
制御部は、‘中紙変更’メニューの選択に応答して、少なくとも一つのページを表示するようにディスプレイを制御し、新たなページを選択すると、選択されたページの中紙を選択された新たな中紙に変更することができる。
【０１０５】
中紙は、タブレットによってデフォルトとして提供することができる。中紙は、オンラインマーケットで購入することができる。中紙は、カスタマイズされて配布されるオーダーメイドの中紙であり得る。
【０１０６】
ディスプレイ上で行われるズームアウト動作によってノートレベルでディスプレイに表示されるノートの数が増加し、ディスプレイ上で行われるズームイン動作によってノートレベルでディスプレイに表示されるノートの数が減少し、拡張型メニューボタンをプレスした状態でディスプレイ上で行われるドラッグ動作を通じてノートレベルでディスプレイに表示される複数のノートが選択され得る。
【０１０７】
拡張型メニューボタンがプレスされていないと、ディスプレイ上で行われるドラッグ動作を通じてノートレベルで画面フリッキングが行われ得る。
【０１０８】
ディスプレイ上で行われるズームアウト動作によってページレベルでディスプレイに表示されるページの数が増加し、ディスプレイ上で行われるズームイン動作によってページレベルでディスプレイに表示されるページの数が減少し、拡張型メニューボタンをプレスした状態でディスプレイ上で行われるドラッグ動作を通じてページレベルでディスプレイに表示される複数のページが選択され得る。
【０１０９】
拡張型メニューボタンがプレスされていないと、ディスプレイ上で行われるドラッグ動作を通じてページレベルで画面フリッキングが行われ得る。
【０１１０】
ディスプレイ上で行われるズームイン動作及びズームアウト動作を通じて、ノートレベルとページレベルのそれぞれでディスプレイに表示されるノートの数及びページの数が予め定められた順に減少または増加し得る。
【０１１１】
ズームイン動作によって１６ノート、４ノート、１ノート、１６ページ、４ページ及び１ページの順に表示が行われ、ズームアウト動作によって１ページ、４ページ、１６ページ、１ノート、４ノート及び１６ノートの順に表示が行われ得る。
【０１１２】
ディスプレイ上でのグラフィック的な表現を通じてディスプレイの表示領域の境界の第１の領域が磁性を有するように表現され、第１の領域に独立型メニューボタンがくっ付くように表現され得る。
【０１１３】
ディスプレイ上でのグラフィック的な表現を通じてディスプレイの表示領域の境界の第２の領域がごみ箱として表現され、単位メニューボタンとコンテンツが第２の領域を通過しながら削除され得る。
【０１１４】
第２の領域を通じて削除された単位メニューボタンは、拡張型メニューボタンを通じて復元され得る。第２の領域を通じて削除されたコンテンツは、復元命令によって復元され得る。
【０１１５】
制御部は、ディスプレイの一領域で動画が再生されるようにディスプレイを制御し、動画が再生される領域を除いた領域で筆記／ドローイングが行われるように制御することができる。
【０１１６】
一つ以上の実施例の一側面によると、環境設定メニューを用いてユーザーの外部入力から近接センサーの活性化を選択すること；制御部を用いて近接センサーを活性化させること；近接センサーを用いてユーザーの左手または右手の近接を検出すること；近接センサーによって検出された情報に基づいて右手ユーザーモードまたは左手ユーザーモードを設定すること；近接センサーによって検出された情報によってディスプレイの左側または右側にユーザーインターフェースを表示すること；及び各センサーによって検出された情報に基づいて右側ユーザーインターフェースを左側ユーザーインターフェースに転換し、各センサーによって検出された情報に基づいて左側ユーザーインターフェースを右側ユーザーインターフェースに転換すること；を含む、右手ユーザーモードと左手ユーザーモードとを自動的に転換する方法を提供することができる。
【０１１７】
一つ以上の実施例の一側面によると、コンピューターで読み出し可能な命令を保存する少なくとも一つの非一時的なコンピューターで読み出し可能な媒体が提供され、各実施例の各方法を実施する。
【発明の効果】
【０１１８】
一側面によると、タブレットにペン／スタイラス／タッチ基盤の入力が適用されるとき、入力作業の連続性を失うことなく、ユーザーインターフェースを容易に操作することによって、作業効率を大きく改善する。
【図面の簡単な説明】
【０１１９】
【図１】一実施例に係るタブレットの外観を示した図である。
【図２】図１に示したタブレットの制御系統を制御モジュール単位で示した図である。
【図３】図２に示した各モジュールのタッチ／ペンイベント処理過程を示した図である。
【図４】図１に示したタブレットの制御系統を装置単位で示した図である。
【図５】図１に示したタブレットのユーザーインターフェースを示した図である。
【図６】一実施例に係るタブレットの左手ユーザーモード（第２のモード）を示した図である。
【図７】一実施例に係るタブレットの右手／左手ユーザーモードの自動転換方法を示したフローチャートである。
【図８】一実施例に係るタブレットの右手／左手ユーザーモードの手動転換方法を示したフローチャートである。
【図９】タブレットの回転によるユーザーインターフェースの自動的な位置転換を示した図である。
【図１０】一実施例に係るタブレットでの多様な相互作用の例を示した図である。
【図１１】一実施例に係るタブレットのユーザーインターフェースの拡張型メニューボタンの拡張特性を示した図である。
【図１２】色相設定メニューボタンを通じた色相設定過程を示した図である。
【図１３】ツール設定メニューボタンを通じたツール設定過程を示した図である。
【図１４】ツール設定メニューボタンの四角領域選択ツールを用いた四角領域選択過程を示した図である。
【図１５】ツール設定メニューボタンの自由領域選択ツールを用いた自由領域選択過程を示した図である。
【図１６】ツール設定メニューボタンの貼り付けツールを用いた貼り付け過程を示した図である。
【図１７】ツール設定メニューボタンのイメージ取り出しツールを用いたイメージ取り出し過程を示した図である。
【図１８】拡張型メニューボタンの拡張された領域に含まれた各下位メニューボタンを拡張された領域の外側に移動させ、独立型メニューボタンを生成する過程を示した図である。
【図１９】一実施例に係るタブレットの速い線の太さ転換過程を示した図である。
【図２０】‘ホーム’メニューボタンのタッピングによってページレベルとノートレベルを転換する過程を示した図である。
【図２１】一実施例に係るタブレットの速い彩度／明るさ転換過程を示した図である。
【図２２】一実施例に係るタブレットでのペン基盤の入力モードとタッチ基盤の入力モードの選択過程を示した図である。
【図２３】実行取り消し（Ｕｎｄｏ）及び反復実行（Ｒｅｄｏ）の過程を示した図である。
【図２４】現在のページを電子メールまたはソーシャルネットワークサービス（Ｓｏｃｉａｌ  Ｎｅｔｗｏｒｋ  Ｓｅｒｖｉｃｅ、ＳＮＳ）を通じて伝送する過程を示した図である。
【図２５】新たなページを生成する過程を示した図である。
【図２６】一実施例に係るタブレットの速い消しゴムモードを示した図である。
【図２７】一実施例に係るタブレットの独立型メニューボタンの第１の特性を示した図である。
【図２８】一実施例に係るタブレットの独立型メニューボタンの第２の特性を示した図である。
【図２９】一実施例に係るタブレットのディスプレイの表示領域の境界の特性を示した図である。
【図３０】一実施例に係るタブレットのディスプレイの表示領域の境界の他の特性を示した図である。
【図３１】一実施例に係るタブレットのノートレベルでの拡張型メニューボタンのタッピング操作を通じたメニュー呼び出し過程を示した図である。
【図３２】図３１に示したポップアップから‘新たなノート生成’メニューを選択することによって、ノートレベルで新たなノートを生成する過程を示した図である。
【図３３】図３１に示したポップアップから‘ＰＤＦ取り出し’メニューを選択することによって、ノートレベルでＰＤＦファイルを取り出す過程を示した図である。
【図３４】一実施例に係るタブレットのノートレベルで拡張型メニューボタンのプレシング操作を通じたメニュー呼び出し過程を示した図である。
【図３５】図３４に示したポップアップから‘コピー’メニューを選択することによって、ノートレベルで既に生成されているノートをコピーする過程を示した図である。
【図３６】図３４に示したポップアップから‘切り取り’メニューを選択することによって、ノートレベルで既に生成されているノートを切り取る過程を示した図である。
【図３７】図３４に示したポップアップから‘削除’メニューを選択することによって、ノートレベルで既に生成されているノートを削除する過程を示した図である。
【図３８】図３４に示したポップアップから‘ＰＤＦファイルを電子メールで伝送’メニューを選択することによって、ノートレベルで既に生成されているノートをＰＤＦファイルに変換し、ＰＤＦファイルを電子メールに添付して伝送する過程を示した図である。
【図３９】図３４に示したポップアップから‘カバー変更’メニューを選択することによって、ノートレベルで既に生成されているノートのカバーを変更する過程を示した図である。
【図４０】一実施例に係るタブレットのページレベルでの拡張型メニューボタンのタッピング操作を通じたメニュー呼び出し過程を示した図である。
【図４１】図４０に示したポップアップから‘新たなページ生成’メニューを選択することによって、ページレベルで新たなページを生成する過程を示した図である。
【図４２】図４０に示したポップアップから‘ＰＤＦファイル取り出し’メニューを選択することによって、ページレベルでＰＤＦファイルを取り出す過程を示した図である。
【図４３】一実施例に係るタブレットのページレベルで拡張型メニューボタンのプレシング操作を通じたメニュー呼び出し過程を示した図である。
【図４４】図４３に示したポップアップから‘コピー’メニューを選択することによって、ページレベルで既に生成されているページをコピーする過程を示した図である。
【図４５】図４３に示したポップアップから‘切り取り’メニューを選択することによって、ページレベルで既に生成されているページを切り取る過程を示した図である。
【図４６】図４３に示したポップアップから‘削除’メニューを選択することによって、ページレベルで既に生成されているページを削除する過程を示した図である。
【図４７】図４３に示したポップアップから‘ＰＤＦファイルを電子メールで伝送’メニューを選択することによって、ページレベルで既に生成されているページをＰＤＦファイルに変換し、ＰＤＦファイルを電子メールに添付して伝送する過程を示した図である。
【図４８】図４３に示したポップアップから‘中紙変更’メニューを選択することによって、ページレベルで既に生成されているページの中紙を変更する過程を示した図である。
【図４９】一実施例に係るタブレットでのレイヤー構造を示した図である。
【図５０】既に生成されているテキスト／イメージを背景レイヤーとして有する筆記／ドローイングレイヤーの構成を示した図である。
【図５１】ディスプレイの表示領域全体を筆記／ドローイング領域として使用する例を示した図である。
【図５２】タブレットの拡張型メニューボタンとタッチ動作との組み合わせによる多様な形態の作業を示した図である。
【図５３】ズームインとズームアウトによるノートレベルとページレベルとの間の画面表示転換を示した図である。
【図５４】一実施例のタブレットの画面フリッキング過程を示した図である。
【図５５】一実施例のタブレットで動画再生と筆記／ドローイングを同時に行う過程を示した図である。
【発明を実施するための形態】
【０１２０】
ここでは、各実施例を詳細に説明するために参照が行われ、各例が添付の各図面に示されている。同一の参照番号は、全体にわたって同一の要素を示す。各実施例は、図面を参照することによって以下で説明される。
【０１２１】
本明細書において、携帯機器とは、一つ以上のタッチスクリーンディスプレイを含み、アプリケーションを実行したり、コンテンツを表示するように構成される装置である。例えば、携帯機器は、タブレット個人用コンピューター（Ｔａｂｌｅｔ  Ｐｅｒｓｏｎａｌ  Ｃｏｍｐｕｔｅｒ：ＰＣ）（以下、タブレットという）、携帯用マルチメディア再生装置（Ｐｏｒｔａｂｌｅ  Ｍｕｌｔｉｍｅｄｉａ  Ｐｌａｙｅｒ：ＰＭＰ）、個人情報端末機（Ｐｅｒｓｏｎａｌ  Ｄｉｇｉｔａｌ  Ａｓｓｉｓｔａｎｔ：ＰＤＡ）、スマートフォン、携帯電話、デジタルフレームなどを含むことができる。タブレットが開示の各実施例で例示されるが、これに限定されることはない。
【０１２２】
以下の説明において、左手ユーザーは、主に左手でペンを握った状態で筆記やドローイングなどの情報入力作業を行うユーザーであって、右手ユーザーは、主に右手でペンを握った状態で筆記やドローイングなどの情報入力作業を行うユーザーである。また、左手ユーザーモードは、ユーザーが左手でペンを握った状態で筆記やドローイングなどの情報入力作業を行うモードであって、右手ユーザーモードは、ユーザーが右手でペンを握った状態で筆記やドローイングなどの情報入力作業を行うモードである。
【０１２３】
図１は、一実施例に係るタブレット１００の外観を示した図である。図１に示したように、タブレット１００の外観はベゼル１１０によって定義され、タブレット１００のディスプレイ１０２がベゼル１１０によって支持される。ディスプレイ１０２の縦横比は、国際標準用紙規格の縦横比に従う。すなわち、一実施例において、ディスプレイ１０２は約１．４１４：１の縦横比を有する。タブレット１００のディスプレイ１０２は、ディスプレイ１０２上に情報を表示しながら、ペン基盤の入力またはタッチ基盤の入力を受信することができる。ペン基盤の入力は、ペン１０８（またはスタイラス）を用いる入力方式であって、タッチ基盤の入力は、指などの身体の一部を用いる入力方式である。以下の説明において、ペン１０８はスタイラスを含む。一実施例に係るディスプレイ１０２の入力領域は、ペン基盤の入力のみを許容する第１の入力領域と、ペン基盤の入力及びタッチ基盤の入力を全て許容する第２の入力領域とに区分される。例えば、ペン基盤の入力のみを許容する第１の入力領域は、ユーザーがペン１０８を用いて筆記またはドローイングを行う領域であって、ペン基盤の入力及びタッチ基盤の入力を全て許容する第２の入力領域は、メニュー選択またはオプション設定のためのユーザーインターフェース領域である。必要に応じて、第１の入力領域と第２の入力領域は、いずれもペン基盤の入力とタッチ基盤の入力が適用されるように定義され得る。一実施例において、ペン１０８を用いた筆記またはドローイングをペン基盤の入力と定義し、指などの身体の一部を用いたユーザーインターフェースまたはコンテンツのタッピング／プレシング／ドラッギングをタッチ基盤の入力と定義する。
【０１２４】
一実施例に係るタブレット１００のベゼル１１０には、少なくとも二つの近接センサー１１２ａ、１１２ｂが設置され得る。この近接センサー１１２ａ、１１２ｂは、ユーザーの両手１０６Ｌ、１０６Ｒのうちいずれか一つがタブレット１００のベゼル１１０に近接することを感知するためのものであって、ユーザーの手１０６Ｌ、１０６Ｒのディスプレイ１０２への接近有無によってディスプレイ１０２に表示されるユーザーインターフェースを隠したり表示する。すなわち、ユーザーの手１０６Ｌ、１０６Ｒがベゼル１１０の一定距離以内に存在しないと、ユーザーインターフェースをディスプレイ１０２上に表示しない（隠す）一方、ユーザーの手１０６Ｌ、１０６Ｒがベゼル１１０の一定距離以内に近接すると、隠れていたユーザーインターフェースをディスプレイ１０２に表示することによって、ユーザーがユーザーインターフェースを操作することができる。このように、ユーザーインターフェースを隠した後、必要な場合のみに表示することによって、ディスプレイ１０２の入力領域全体を筆記／ドローイングのための領域として活用することができる。このために、近接センサー１１２ａ、１１２ｂは、図１に示したように、タブレット１００の両側面にそれぞれ付着させることができる。必要に応じて、タブレット１００の他の位置に近接センサーをさらに付着させることもできる。また、近接センサー１１２ａ、１１２ｂを通じてユーザーの手１０６Ｌ、１０６Ｒがタブレット１００に近接する方向を検出し、その検出された接近方向によって右手ユーザーモード及び左手ユーザーモードのうちいずれか一つを設定し、ユーザーインターフェースの表示位置を変更することができる。ユーザーの左手の接近が検出されると右手ユーザーモードを設定し、ユーザーインターフェースをディスプレイ１０２の表示領域の左側に表示する一方、ユーザーの右手の接近が検出されると左手ユーザーモードを設定し、ユーザーインターフェースをディスプレイ１０２の表示領域の右側に表示する。
【０１２５】
図２は、図１に示したタブレット１００の制御系統を制御モジュール単位で示した図である。図２において、矢印は、矢印の開始点にあるモジュールが、矢印によって指示されたモジュールの資源を用いることを示す。パレットモジュール２０２は、ユーザーイベント（ペンイベントまたはタッチイベント）を受信し、受信されたイベントに対応する命令をビューモジュール２０４に出す。ペン管理者モジュール２０６は、少なくとも一つのペンエンジン２０６ａを通じてペン客体を生成する。
【０１２６】
ビューモジュール２０４は、パレットモジュール２０２から受信された命令を下位モジュールに伝達する。ビューモジュール２０４の各下位モジュールは、キャンバスビューモジュール２０８、ノート管理者モジュール２１０、アップページビューモジュール２１２及びカールビューモジュール２１４を含む。キャンバスビューモジュール２０８は、レイヤー管理者モジュール２０８ａ及びレイヤー２０８ｂを含む。キャンバスビューモジュール２０８は、ビューモジュール２０４からペン客体を受信し、レイヤー管理者モジュール２０８ａから描こうとするビットマップを受信し、ユーザーイベントに応答してドローイングを行う。キャンバスビューモジュール２０８のレイヤー管理者モジュール２０８ａは、ノート管理者モジュール２１０から現在のページ客体を受信し、レイヤー２０８ｂのアクションヒストリーを管理する。キャンバスビューモジュール２０８のレイヤー２０８ｂは、筆記またはドローイングが修正される度にアクションヒストリー客体を生成して保存する。ノート管理者モジュール２１０は、ノート２１０ａを含み、該当のアプリケーションに属するノート２１０ａのページ２１０ｂに関する情報を管理する。それぞれのページ２１０ｂは、該当のページ２１０ｂが有するビットマップを保存したり取り出す。アップページビューモジュール２１２は、ノート管理者モジュール２１０からページ２１０ｂのビットマップを受信し、該当のビットマップをユーザーイベントによって出力し、これによって画面が構成される。カールビューモジュール２１４は、ノート管理者モジュール２１０からページ２１０ｂのビットマップを受信し、該当のビットマップをユーザーイベントによってアニメーションとして出力する。
【０１２７】
図３は、図２に示した各モジュールのタッチ／ペンイベント処理過程を示した図である。図３において、点線矢印は、タッチ基盤の入力に基づくイベント（すなわち、タッチイベント）による動作関係を示し、２点鎖線矢印は、ペン基盤の入力に基づくイベント（すなわち、ペンイベント）による動作関係を示し、実線矢印は、命令／データの伝送を示す。
【０１２８】
キャンバスビューモジュール２０８は、レイヤー管理者モジュール２０８ａにドローイング命令を伝達し、ドローイング作業が行われるようにする。レイヤー管理者モジュール２０８ａは、セーブ命令を発生させ、ノート管理者モジュール２１０にセーブ命令を伝送し、ドローイング作業によって生成された絵が保存されるようにしたり、ロード命令を発生させ、既に保存されている絵をノート管理者モジュール２１０から取り出すようにする。ノート管理者モジュール２１０は、ページ２１０ｂからビットマップを取り出し、アップページビューモジュール２１２またはカールビューモジュール２１４にビットマップを伝送する。アップページビューモジュール２１２は、ノート管理者モジュール２１０からビットマップを受信し、タッチイベントに対応する画面を構成する。カールビューモジュール２１４は、ノート管理者モジュール２１０からビットマップを受信し、タッチイベントに対応するアニメーションを生成する。パレットモジュール２０２は、タッチイベントまたはペンイベントに応答して、ドローイングのために使用される道具（ＳＥＴＰＥＮ）をキャンバスビューモジュール２０８に提供する。
【０１２９】
図４は、図１に示したタブレット１００の制御系統を装置単位で示した図である。制御部４０２は、中央処理装置（ＣＰＵ）としてタブレット１００の動作全般を制御し、このために、メモリ４０４に保存されているソフトウェアプログラムを実行させ、制御に必要な命令を発生させる。
【０１３０】
制御部４０２には、近接センサー１１２ａ、１１２ｂ、加速度センサー４０６ｂ及び光センサー４０６ｃがセンサー駆動部４０６を通じて制御部４０２と通信可能に連結される。センサー駆動部４０６は、それぞれのセンサーごとに設けられ得る。近接センサー１１２ａ、１１２ｂは、ユーザーの身体の一部がタブレット１００に近接するかどうかを検出する。図１を参照して説明したように、近接センサー１１２ａ、１１２ｂの検出結果を用いると、ユーザーが左手ユーザーであるか、それとも右手ユーザーであるかによってユーザーインターフェースの表示位置を自動的に変更することができる。また、近接センサー１１２ａ、１１２ｂの検出結果を用いると、ユーザーの手がタブレット１００に近接するときにユーザーインターフェースをディスプレイ１０２に表示し、ユーザーの手がタブレット１００から遠ざかるときにユーザーインターフェースをディスプレイ１０２から隠すこともできる。近接センサー１１２ａ、１１２ｂは、高周波発振型センサー、静電容量型センサー、磁気型センサー、光電型センサー及び超音波型センサーのうちいずれか一つであり得る。加速度センサー４０６ｂは、タブレット１００の移動時に加速度、振動、衝撃などの動的力を測定し、タブレット１００の運動状態を検出するために用いられる。加速度センサー４０６ｂはジャイロスコープセンサーであり得る。ジャイロスコープセンサーは、回転要素を含む合計６軸の動きを認識することができ、回転要素を含まない一般的な加速度センサーに比べて相対的により精密にタブレット１００の動きを検出することができる。光センサー４０６ｃは、カメラモジュールを構成する要素であって、ＣＣＤ（ｃｈａｒｇｅ―ｃｏｕｐｌｅｄ  ｄｅｖｉｃｅ）またはＣＭＯＳ（ｃｏｍｐｌｅｍｅｎｔａｒｙ  ｍｅｔａｌ―ｏｘｉｄｅ  ｓｅｍｉｃｏｎｄｕｃｔｏｒ）からなり得る。光センサー４０６ｃは、カメラモジュールの少なくとも一つのレンズを通じて投射される光信号を受信し、光信号を電気信号に変換することによって、静止画または動画が生成されるようにする。光センサー４０６ｃは、タブレット１００周辺の光量を測定するための照度センサーであり得る。
【０１３１】
また、制御部４０２には、通信部４１０とオーディオ信号処理部４１２が制御部４０２と通信可能に連結される。通信部４１０は、外部ポートを介した他の装置との有線通信を可能にし、アンテナ４１０ａを介して無線通信を行う。外部ポートは、ＵＳＢ（Ｕｎｉｖｅｒｓａｌ  Ｓｅｒｉａｌ  Ｂｕｓ）ポートやファイアワイヤ（ＦｉｒｅＷｉｒｅ）ポートのように、外部機器を直接連結できる通信ポートであり得る。オーディオ信号処理部４１２は、ユーザーとタブレット１００との間のオーディオインターフェースを提供する。オーディオ信号処理部４１２は、オーディオデータを電気信号に変換してスピーカー４１２ａに伝送したり、または音波からマイク４１２ｂを通じて変換された電気信号をオーディオデータに変換する。
【０１３２】
ディスプレイ１０２は、制御部４０２と通信可能に制御部４０２に連結される。ディスプレイ１０２は、タッチスクリーン１０２ａ及びディスプレイパネル１０２ｂからなる。タッチスクリーン１０２ａは、ディスプレイパネル１０２ｂの前面、後面または両面に配置され得る。例えば、タッチスクリーン１０２ａが抵抗膜式である場合、ディスプレイパネル１０２ｂが液晶表示装置（ＬＣＤ）であると、タッチスクリーン１０２ａはディスプレイパネル１０２ｂの前面に配置される一方、ディスプレイパネル１０２ｂがフレキシブルな電子紙であると、タッチスクリーン１０２ａは、ディスプレイパネル１０２ｂの前面及び後面のうちいずれか一つに配置され得る。タッチスクリーン１０２ａが静電容量方式である場合、タッチスクリーン１０２ａはディスプレイパネル１０２ｂの前面に配置され得る。タッチスクリーン１０２ａが電磁気誘導方式である場合、タッチスクリーン１０２ａはディスプレイパネル１０２ｂの後面に配置され得る。タッチ入力のための静電容量タッチパネルとペン入力のための電磁気誘導パネルが全て使用される場合、静電容量タッチパネルをディスプレイパネル１０２ｂの前面に配置し、電磁気誘導パネルをディスプレイパネル１０２ｂの後面に配置することができる。
【０１３３】
図５は、図１に示したタブレット１００のユーザーインターフェース１０４を示した図である。タブレット１００のディスプレイ１０２上にはユーザーインターフェース１０４が表示される。ユーザーインターフェース１０４は、拡張型メニューボタン１０４ａ及び独立型メニューボタン１０４ｂ、１０４ｃ、１０４ｄ、１０４ｅ、１０４ｆ、１０４ｇ、１０４ｈ、１０４ｋ及び１０４ｍを含むことができる。以下の説明では、独立型メニューボタン１０４ｂ、１０４ｃ、１０４ｄ、１０４ｅ、１０４ｆ、１０４ｇ、１０４ｈ、１０４ｋ及び１０４ｍは、１０４ｂ―１０４ｍで示される。
【０１３４】
拡張型メニューボタン１０４ａは、タップされた（短い時間の間タッチした後で手を離す）ときに拡張され、その内部に含まれている各下位メニューボタンを表示する（図１１参照）。さらに、拡張型メニューボタン１０４ａは、プレスされた（タッチ状態を一定時間以上維持する）とき、ペンイベントが消しゴムとして動作し、絵や文字の削除を可能にする（図２６参照）。
【０１３５】
各独立型メニューボタン１０４ｂ―１０４ｍは、‘ペンの太さ調節／ペン選択’メニューボタン１０４ｂ、‘ホーム’メニューボタン１０４ｃ、‘色相選択／彩度調節’メニューボタン１０４ｄ、‘ペン／タッチトグル’メニューボタン１０４ｅ、‘実行取り消し（Ｕｎｄｏ）’メニューボタン１０４ｆ、‘再実行（Ｒｅｄｏ）’メニューボタン１０４ｇ、‘ＳＮＳ’メニューボタン１０４ｈ、‘ページ生成’メニューボタン１０４ｋ及び‘クリア’メニューボタン１０４ｍを含むことができる。‘ペンの太さ調節／ペン選択’メニューボタン１０４ｂは、第１の独立型メニューボタンであって、一定時間以上のプレス操作を通じて線の太さ調節インターフェースを実行することができ、タップ操作を通じて予め定められた多様な種類のペンを選択することができる。‘ホーム’メニューボタン１０４ｃは、第２の独立型メニューボタンであって、ページレベルとノートレベルを転換する。ノートレベルは、ノートをコピー／削除／修正できるモードである。‘色相選択／彩度調節’メニューボタン１０４ｄは、第３の独立型メニューボタンであって、特定色相を選択する。有彩色の場合、色相選択／彩度調節’メニューボタン１０４ｄを一定時間以上プレスすることによって彩度調節インターフェースを実行することができる。一方、無彩色の場合、‘色相選択／彩度調節’メニューボタン１０４ｄを一定時間以上プレスすることによって濃淡（ｇｒａｄａｔｉｏｎ）調節インターフェースを実行することができる。‘ペン／タッチトグル’メニューボタン１０４ｅは、第４の独立型メニューボタンであって、ペン基盤の入力及びタッチ基盤の入力のうちいずれか一つを選択することができる。‘実行取り消し（Ｕｎｄｏ）’メニューボタン１０４ｆは、第５の独立型メニューボタンであって、予め定められた回数（例えば、１回）の単位作業を取り消し、以前の状態に復元する。‘再実行（Ｒｅｄｏ）’メニューボタン１０４ｇは、第６の独立型メニューボタンであって、‘実行取り消し（Ｕｎｄｏ）’メニューボタン１０４ｆを通じて復元された単位作業を予め定められた回数（例えば、１回）だけ取り消す。‘ＳＮＳ’メニューボタン１０４ｈは、第７の独立型メニューボタンであって、ＳＮＳや電子メールサービスを通じてコンテンツを伝送することができる。‘ページ生成’メニューボタン１０４ｋは、第８の独立型メニューボタンであって、現在のページの次に新たなページを生成（追加）する。‘クリア’メニューボタン１０４ｍは、第９の独立型メニューボタンであって、ディスプレイ１０２の表示領域に表示されている現在のページの筆記／ドローイング内容を削除し、ページを初期化させる。
【０１３６】
ユーザーインターフェース１０４の全ての構成要素は、ペンイベントとタッチイベントの全てに応答して動作する。ユーザーインターフェース１０４は、右手ユーザーモード（第１のモード）及び左手ユーザーモード（第２のモード）で互いに異なる位置に表示される。右手ユーザーモードは、ユーザーが右手１０６Ｒで握ったペン１０８で筆記及び／またはドローイングなどの方法を通じて情報を入力するモードであり、左手ユーザーモードは、ユーザーが左手１０６Ｌで握ったペン１０８で筆記／ドローイングなどの方法を通じて情報を入力するモードである。ここで、情報の入力は、ペン１０８を握った手によって行われるタッチ基盤の入力であり得る。
【０１３７】
一実施例に係るタブレット１００においては、図５に示したように、右手ユーザーモードでユーザーインターフェース１０４をディスプレイ１０２の表示領域の左側に表示することによって、ユーザーは、右手を用いて情報を入力すると共に、左手を用いてユーザーインターフェース１０４を操作する。特に、ディスプレイ１０２は、ユーザーインターフェース１０４がディスプレイ１０２の表示領域の左側の上位及び下位領域のうちいずれか一つに表示されるように制御され得る。さらに、ディスプレイ１０２は、ユーザーインターフェース１０４の一部がディスプレイ１０２の表示領域の左側の上位及び下位領域のうちいずれか一つに表示され、ユーザーインターフェース１０４の残り部分がディスプレイ１０２の表示領域の上部及び下部のうちいずれか一つに表示されるように制御され得る。例えば、ユーザーは、右手ユーザーモードで右手１０６Ｒで握ったペン１０８で筆記やドローイングを通じて情報を入力しながら、左手１０６Ｌを用いてユーザーインターフェース１０４を操作することができる。ユーザーが右手１０６Ｒで筆記やドローイングを通じて情報を入力しながら、右手１０６Ｒを用いてユーザーインターフェース１０４を操作すると、ユーザーが情報入力を一時的に中断すべきであるため、情報入力作業の連続性が確保されないが、図５に示したように、右手ユーザーモードでディスプレイ１０２の表示領域の左側にユーザーインターフェース１０４を表示すると、ユーザーが右手１０６Ｒをディスプレイ１０２から離さずに情報入力を継続しながら、左手１０６Ｌでユーザーインターフェース１０４を操作することができ、右手１０６Ｒを用いた情報入力作業の連続性が確保され、作業効率を大きく高めることができる。
【０１３８】
図６は、一実施例に係るタブレット１００の左手ユーザーモード（第２のモード）を示した図である。図６に示したように、一実施例においては、左手ユーザーモードでユーザーインターフェース１０４をディスプレイ１０２の表示領域の右側に表示することによって、ユーザーは、左手を用いて情報を入力すると共に、右手を用いてユーザーインターフェース１０４を操作することができる。特に、ディスプレイ１０２は、ユーザーインターフェース１０４がディスプレイ１０２の表示領域の右側の上位及び下位領域のうちいずれか一つに表示されるように制御され得る。さらに、ディスプレイ１０２は、ユーザーインターフェース１０４の一部がディスプレイ１０２の表示領域の左側の上位及び下位領域のうちいずれか一つに表示され、ユーザーインターフェース１０４の残り部分がディスプレイ１０２の表示領域の上部及び下部のうちいずれか一つに表示されるように制御され得る。例えば、ユーザーは、左手ユーザーモードで左手１０６Ｌで握ったペン１０８で筆記やドローイングを通じて情報を入力しながら、右手１０６Ｒを用いてユーザーインターフェース１０４を操作することができる。ユーザーが左手１０６Ｌで筆記やドローイングを通じて情報を入力しながら、左手１０６Ｌを用いてユーザーインターフェース１０４を操作すると、ユーザーが情報入力を一時的に中断すべきであるため、情報入力作業の連続性が確保されないが、図６に示したように、左手ユーザーモードでディスプレイ１０２の表示領域の右側にユーザーインターフェース１０４を表示すると、ユーザーが左手１０６Ｒをディスプレイ１０２から離さずに情報入力を継続しながら、右手１０６Ｒでユーザーインターフェース１０４を操作することができ、左手１０６Ｌを用いた情報入力作業の連続性が確保され、作業効率を大きく高めることができる。
【０１３９】
以上説明したように、ユーザーが右手１０６Ｒを用いて情報を入力する右手ユーザーモード（第１のモード）でディスプレイ１０２の表示領域の左側にユーザーインターフェース１０４を表示し、ユーザーが左手１０６Ｌを用いて情報を入力する左手ユーザーモード（第２のモード）でディスプレイ１０２の表示領域の右側にユーザーインターフェース１０４を表示することによって、情報入力作業の連続性を確保することができ、作業効率を改善することができる。
【０１４０】
図７は、一実施例に係るタブレット１００の右手ユーザーモードと左手ユーザーモードの自動転換方法を示したフローチャートである。図７に示した自動転換方法では、近接センサー１１２ａ、１１２ｂを通じてユーザー身体のタブレット１００への接近を検出し、その検出結果によって右手ユーザーモードと左手ユーザーモードとの間の転換が自動的に行われる。ユーザーが環境設定メニューを通じて近接センサー１１２ａ、１１２ｂの活性化を選択することによって外部入力が発生すると、タブレット１００の制御部４０２は、この外部入力（すなわち、選択）に応答して近接センサー１１２ａ、１１２ｂを活性化させる（７０２）。活性化された近接センサー１１２ａ、１１２ｂは、ユーザーの身体（例えば、左手または右手）がタブレット１００に近接したかどうかを検出する（７０４）。制御部４０２は、近接センサー１１２ａ、１１２ｂの検出結果によって右手ユーザーモードまたは左手ユーザーモードを設定する。図１に示したタブレット１００の左側近接センサー１１２ａがユーザーの身体（例えば、左手）のタブレット１００への接近を検出すると、制御部４０２は、ユーザーの左手がタブレット１００の左側に近接し、ユーザーの右手を通じてペン基盤の入力が行われると判断し、タブレット１００を右手ユーザーモードに設定し、ディスプレイ１０２の表示領域の左側にユーザーインターフェース１０４を表示する（７０６）（図５参照）。その一方、図１に示したタブレット１００の右側近接センサー１１２ｂがユーザーの身体（例えば、右手）のタブレット１００への接近を検出すると、制御部４０２は、ユーザーの右手がタブレット１００の右側に接近し、ユーザーの左手を通じてペン基盤の入力が行われると判断し、タブレット１００の動作モードを左手ユーザーモードに転換し、ディスプレイ１０２の表示領域の右側にユーザーインターフェース１０４を表示する（７０８）（図６参照）。このような動作モード間の転換は、二つの近接センサー１１２ａ、１１２ｂがユーザーの身体のタブレット１００への接近を検出したときに自動的に行われる。このように設定された自動転換モードは、ユーザーが近接センサー１１２ａ、１１２ｂを非活性化させた後、環境設定メニューを通じて右手／左手ユーザーモードを直接設定するまで維持される。
【０１４１】
図８は、一実施例に係るタブレット１００の右手／左手ユーザーモードの手動転換方法を示したフローチャートである。図８に示した手動転換方法では、近接センサー１１２ａ、１１２ｂを非活性化させた状態で、ユーザーが環境設定メニューを通じて直接選択した右手ユーザーモード及び左手ユーザーモードのうちいずれか一つが動作モードとして固定される。特に、ユーザーが環境設定メニューを通じて近接センサー１１２ａ、１１２ｂの非活性化を選択すると、タブレット１００の制御部４０２は、ユーザーの選択に応答して近接センサー１１２ａ、１１２ｂを非活性化させる（８０２）。非活性化された二つの近接センサー１１２ａ、１１２ｂは、ユーザーの身体（例えば、左手または右手）の近接に反応しない。制御部４０２は、環境設定メニューを通じてユーザーによる右手ユーザーモード及び左手ユーザーモードのうちいずれか一つの選択に対応する外部入力を受信する（８０４）。ユーザーが右手ユーザーモードを選択すると、制御部４０２は、タブレット１００の動作モードを右手ユーザーモードに転換し、ディスプレイ１０２の表示領域の左側にユーザーインターフェース１０４を表示する（８０６）（図５参照）。その一方、ユーザーが左手ユーザーモードを選択すると、制御部４０２は、タブレット１００の動作モードを左手ユーザーモードに転換し、ディスプレイ１０２の表示領域の右側にユーザーインターフェース１０４を表示する（８０８）（図６参照）。手動転換モードを通じてユーザーによって直接設定された動作モードは、ユーザーが環境設定メニューを通じて右手／左手ユーザーモードを変更したり、近接センサー１１２ａ、１１２ｂを活性化させて自動モード転換が行われるまで維持される。
【０１４２】
図９は、タブレット１００の回転によるユーザーインターフェース１０４の自動位置転換を示した図である。図５に示したように、幅が短く、高さが長いポートレート（ｐｏｒｔｒａｉｔ）形態で配置されるタブレットが、図９に示したように、９０度回転して、幅が長く、高さが短いランドスケープ（ｌａｎｄｓｃａｐｅ）形態で位置すると、ユーザーインターフェース１０４の位置も、ディスプレイ１０２上でタブレット１００の回転方向と反対方向に９０度だけ自動的に移動することによって、タブレット１００が回転する前と同様に、右手ユーザーモードまたは左手ユーザーモードのそれぞれで要求される位置に置かれる。タブレット１００の回転は、加速度センサー４０６ｂ（またはジャイロスコープセンサー）によって検出される。図９において、参照符号９０４は、タブレット１００が回転する前のユーザーインターフェースの位置を示し、ユーザーインターフェース１０４は、タブレット１００の回転によって変更された位置に自動的に表示されることが分かる。
【０１４３】
図１０は、一実施例に係るタブレット１００における多様な相互作用（Ｉｎｔｅｒａｃｔｉｏｎ）の例を示した図である。図１０を参照すると、‘タップ’は、ディスプレイ１０２上の一地点をタッチした後、直ぐ手を離す動作である。‘ドラッグ’は、ディスプレイ１０２上の一地点をタッチし、このタッチを他の地点にドラッギングする動作である。‘フリッキング（Ｆｌｉｃｋｉｎｇ）’は、ディスプレイ１０２の表面を本のページをめくるように一定以上の速度でフリッキングする動作である。このフリッキング動作を通じて、画面またはページがめくられ得る。‘ズームイン’は、二つの指（例えば、親指と中指または親指と薬指など）を閉じた状態でディスプレイ１０２上の一地点をタッチし、二つの指を互いに広げる動作である。‘ズームイン’動作を通じて、ディスプレイ１０２に表示される画面が拡大され、ディスプレイ１０２に表示される客体（例えば、ノートまたはページ）の数は減少するが、各客体のサイズは増加し得る。‘ズームアウト’は、二つの指（例えば、親指と中指または親指と薬指など）を広げた状態でディスプレイ１０２上の一地点をタッチし、二つの指を閉じる動作である。‘ズームアウト’動作を通じて、ディスプレイ１０２に表示される画面が縮小され、ディスプレイ１０２に表示される客体（例えば、ノートまたはページ）の数は増加するが、各客体のサイズは減少し得る。‘プレス’は、指でディスプレイ１０２上の一地点をタッチし、このタッチを維持する動作である。プレス動作のためには、一つの指が用いられる。‘筆記／ドローイング’は、ペンを用いて文字を書いたり絵を描く動作である。図１０に示した各相互作用は、ペンを握った手とペンを握っていない手を変えることによって行われ得る。以下では、図１０に示した多様な相互作用を用いて一実施例に係るタブレット１００の他の特徴について説明する。手の形状のアイコンで示すＴ、Ｐ、Ｄ、Ｆ、ＺＩ及びＺＯは、それぞれ‘タップ’、‘プレス’、‘ドラッグ’、‘フリッキング’、‘ズームイン’及び‘ズームアウト’動作を意味する。
【０１４４】
図１１は、一実施例に係るタブレット１００のユーザーインターフェース１０４の拡張型メニューボタン１０４ａの拡張特性を示した図である。図１１（Ａ）に示したように、拡張型メニューボタン１０４ａをタップすると、拡張型メニューボタン１０４ａが拡張されながら、拡張された領域１１０２に各下位メニューボタン１１０４ａ、１１０４ｂ、１１０４ｃ、１１０４ｄ、１１０４ｅ、１１０４ｆ、１１０４ｇ及び１１０４ｈが表示される。以下の説明において、各下位メニューボタン１１０４ａ、１１０４ｂ、１１０４ｃ、１１０４ｄ、１１０４ｅ、１１０４ｆ、１１０４ｇ及び１１０４ｈは、参照符号１１０４と総称する。拡張された状態の拡張型メニューボタン１０４ａがタップされると、図１１（Ｂ）に示したように拡張された状態の拡張型メニューボタン１０４ａは、図１１（Ａ）に示したように拡張される前の状態に復帰する。
【０１４５】
各下位メニューボタン１１０４は、色相設定メニューボタン１１０４ｅ、ペン設定メニューボタン１１０４ｆ、ツール設定メニューボタン１１０４ｇ及び線の太さ設定メニューボタン１１０４ｈを含むことができる。色相設定メニューボタン１１０４ｅは、第１の下位メニューボタンであって、多様な色相を選択して設定する。ペン設定メニューボタン１１０４ｆは、第２の下位メニューボタンであって、多様な種類のペンを選択して設定する。ツール設定メニューボタン１１０４ｇは、第３の下位メニューボタンであって、多様な種類のツールを選択して設定する。線の太さ設定メニューボタン１１０４ｈは、第４の下位メニューボタンであって、線の太さを選択して設定する。
【０１４６】
拡張された状態の拡張型メニューボタン１０４ａのデフォルトモードは、ペン設定メニューボタン１１０４ｆに対応するペン設定モードである。デフォルトモードにおいては、ペン（例えば、鉛筆）、インクペン、筆ペン及びハイライトペンメニュー１１０４ａ、１１０４ｂ、１１０４ｃ及び１１０４ｄが表示され、ユーザーは、ペン、インクペン、筆ペン及びハイライトペンメニュー１１０４ａ、１１０４ｂ、１１０４ｃ及び１１０４ｄのうち所望のペンの種類を選択することができる。色相設定メニューボタン１１０４ｅは、拡張された領域１１０２に色相設定のための多様なメニューを呼び出すために用いられる。色相設定メニューボタン１１０４ｅをタップすると、拡張された領域１１０２に色相設定のための多様なメニューが表示され、ユーザーは、これらメニューのうち所望の色相を選択することができる（図１２参照）。ツール設定メニューボタン１１０４ｇは、拡張された領域１１０２に多様なツールメニューを呼び出すために用いられる。ツール設定メニューボタン１１０４ｇをタップすると、拡張された領域１１０２に‘切り取り’、‘貼り付け’、‘取り出し’などの多様なツールメニューが表示され、ユーザーは、これらツールメニューから所望のツールを選択することができる（図１３〜図１７参照）。ペン設定メニューボタン１１０４ｆをタップすると、拡張型メニューボタン１０４ａのモードは、デフォルトモード、すなわち、ペン設定モードに復帰する。線の太さ設定メニューボタン１１０４ｈは、スライドバー形態で構成され、スライド方向によって線の太さが減少または増加する。ユーザーは、線の太さ設定メニューボタン１１０４ｈをスライド方式で操作することによって、線の太さを調整・選択することができる。
【０１４７】
図１２は、色相設定メニューボタン１１０４ｅを通じた色相設定過程を示した図である。色相設定のためのサンプル色相表示方式は、色相環表示方式（図１２（Ａ））及びハニカム表示方式（図１２（Ｂ））を含む。色相環表示方式は、図１２（Ａ）に示したように、連続した帯状に多様な色相を表示することによって、精密な色相選択を可能にする。ハニカム表示方式は、図１２（Ｂ）に示したように、予め定められた標準色相を一定サイズのセルからなるハニカムの形態で表示することによって、ユーザーは、便利に所望の色相を選択することができる。ハニカム形状以外の形状（例えば、四角形や円形）を有するセルで色相を表示することもできる。図１２（Ａ）に示した色相環表示方式が使用されると、色相設定メニューボタン１１０４ｅはハニカム形状に表示される。このハニカム形状の色相設定メニューボタン１１０４ｅをタッチすると、色相環表示方式は、図１２（Ｂ）に示したようにハニカム表示方式に転換される。その一方、図１２（Ｂ）に示したようにハニカム表示方式が現在使用されると、色相設定メニューボタン１１０４ｅは色相環形状に表示される。色相環形状の色相設定メニューボタン１１０４ｅをタッチすると、図１２（Ａ）に示したように、ハニカム表示方式が色相環表示方式に転換される。図１２（Ａ）に示した色相環表示方式は、精密な色相の選択を可能にするが、ユーザーが同一の色相を繰り返して選択するには不便である。その理由は、色相環での微細な位置変化により、選択される色相も微細に変わり得るためである。図１２（Ｂ）に示したハニカム表示方式によると、予め定められた色相のみを選択することができ、色相選択の自由度は低下するが、ユーザーが同一の色相を繰り返して設定するには遥かに便利である。その理由は、一定のサイズのハニカムを有する各セルで異なる固定された色相を表示しているので、色相に対応するセルを選択することによって該当の色相を正確に選択できるためである。
【０１４８】
図１３は、ツール設定メニューボタン１１０４ｇを通じたツール設定過程を示した図である。図１３（Ａ）に示したように、ツール設定メニューボタン１１０４ｇは、四角領域選択ツール１３０２ａ、自由領域選択ツール１３０２ｂ、貼り付けツール１３０２ｃ及びイメージ取り出しツール１３０２ｄを含む。四角領域選択ツール１３０２ａは、第１のツールであって、四角形状の切り取り／コピー／削除領域を選択する。自由領域選択ツール１３０２ｂは、第２のツールであって、ユーザーが望む自由な形状の切り取り／コピー／削除領域を選択する。貼り付けツール１３０２ｃは、第３のツールであって、切り取り／コピーを通じて選択された対象を所望の位置に貼り付ける。イメージ取り出しツール１３０２ｄは、第４のツールであって、保存装置に保存されているイメージ（写真または絵など）を取り出す。
【０１４９】
図１４は、ツール設定メニューボタン１１０４ｇの四角領域選択ツール１３０２ａを用いた四角領域選択過程を示した図である。図１４に示したように、拡張された領域１１０２に表示されている四角領域選択ツール１３０２ａをタップし（図１４（Ａ））、ペン１０８をディスプレイ１０２上の一点から他の点にドラッグすると、一点と他の点とを対角線として連結する線を有する四角形１４０２がディスプレイ１０２に表示され（図１４（Ｂ））、この四角形１４０２の内部が切り取り／コピー／削除の対象になる。四角形１４０２が設定された後、ディスプレイ１０２からペン１０８を離すと、四角形１４０２によって定義された対象の切り取り／コピー／削除の有無を問うポップアップ１４０４が生成され（図１４（Ｃ））、ユーザーは、ポップアップ１４０４のメニュー選択によって対象の切り取り、コピーまたは削除を行うことができる。
【０１５０】
図１５は、ツール設定メニューボタン１１０４ｇの自由領域選択ツール１３０２ｂを用いた自由領域選択過程を示した図である。図１５に示したように、拡張された領域１１０２に表示されている自由領域選択ツール１３０２ｂをタップし（図１５（Ａ））、ペン１０８をディスプレイ１０２の表面上でユーザーが望む形状に動かすと、ペン１０８の移動軌跡に対応する図形１５０２がディスプレイ１０２に表示され（図１５（Ｂ））、この図形１５０２の内部が切り取り／コピー／削除の対象になる。図形１５０２が設定された後、ディスプレイ１０２からペン１０８を離すと、図形１５０２の内部に対応する対象の切り取り／コピー／削除の有無を問うポップアップ１５０４が生成され（図１５（Ｃ））、ユーザーは、ポップアップ１５０４を通じたメニュー選択によって対象の切り取り、コピーまたは削除を行うことができる。
【０１５１】
図１６は、ツール設定メニューボタン１１０４ｇの貼り付けツール１３０２ｃを用いた貼り付け過程を示した図である。図１４に示した過程を通じて切り取ったりコピーしたデータと、図１５に示した過程を通じて切り取ったりコピーしたデータとがクリップボードに一時的に保存されている状態で貼り付けツール１３０２ｃをタップした後（図１６（Ａ））、ユーザーの身体の一部（例えば、指）でディスプレイ１０２上の貼り付け位置１６０２をドラッグ（またはタップ）した後、ペン１０８でディスプレイ１０２をタップすると（図１６（Ｂ））、貼り付け位置１６０２が正確であるか否かを確認するポップアップ１６０４が生成され（図１６（Ｃ））、ユーザーは、ポップアップ１６０４を通じたメニュー選択によって該当の位置１６０２にデータを貼り付けるか否かを選択することによって貼り付け位置１６０２を確認することができる。
【０１５２】
図１７は、ツール設定メニューボタン１１０４ｇのイメージ取り出しツール１３０２ｄを用いたイメージ取り出し過程を示した図である。図１７に示したように、拡張された領域１１０２に表示されたイメージ取り出しツール１３０２ｄをタップすると（図１７（Ａ））、保存されている各イメージの各サムネイル１７０６がディスプレイ１０２に表示される（図１７（Ｂ））。ユーザーは、イメージに対応するサムネイルのタッピングまたはドラッギングによって所望のイメージを選択し、ディスプレイ１０２上の貼り付け位置１７０２をドラッグ（またはタップ）した後、ペン１０８でディスプレイ１０２をタップすると、該当の位置１７０２にイメージを貼り付けるか否かを問うポップアップ１７０４が生成され（図１７（Ｃ））、ユーザーは、ポップアップ１７０４を通じて該当の位置１７０２にイメージを貼り付けることができる。
【０１５３】
図１８は、拡張型メニューボタン１０４ａの拡張された領域１１０２に含まれる各下位メニューボタンを拡張された領域１１０２の外側に移動させ、独立型メニューボタンを生成する過程を示した図である。拡張型メニューボタン１０４ａを拡張したとき、拡張された領域１１０２に表示される各下位メニューボタンを、ドラッグ＆ドロップを通じて拡張された領域１１０２の外側に移動させると、拡張された領域１１０２の外側に各下位メニューボタンに対応する独立型メニューボタンが生成される。例えば、図１８（Ａ）及び図１８（Ｂ）に示したように、下位メニューボタンに対応する色相表示メニューボタン１８０２を拡張された領域１１０２の外側にドラッグ＆ドロップすると、現在選択されている色相を選択できるようにする独立型メニューボタン１８０４が生成される。この独立型メニューボタン１８０４をタップすることによって、該当の色相を迅速に選択することができる。例えば、ユーザーが赤色を頻繁に使用している場合、ユーザーは、図１８（Ａ）の色相環または図１８（Ｂ）のハニカムから赤色を選択し、色相表示メニューボタン１８０２を赤色に表示した後、赤色の色相表示メニューボタン１８０２を拡張された領域１１０２の外側にドラッグ＆ドロップすると、拡張された領域１１０２の外側には赤色を選択できる独立型メニューボタン１８０４が生成される。このように、ユーザーは、赤色の使用を望むとき、この独立型メニューボタン１８０４をタッピングすることによって赤色を直ぐ選択することができる。このように生成された独立型メニューボタン１８０４の位置は、ディスプレイ１０２の表示領域内で自由に変更することができる。
【０１５４】
図１９は、一実施例に係るタブレット１００の速い線の太さ転換過程を示した図である。‘ペンの太さ調節／ペン選択’メニューボタンを一定時間以上プレスすると、線の太さ表示窓１９０２に予め定められた複数の線の太さが順次表示される。すなわち、図１９の（Ａ）、（Ｂ）及び（Ｃ）の順に線の太さが予め定められた最小太さから予め定められた最大太さに表示される。最大太さを表示した後、図１９の（Ｃ）、（Ｄ）及び（Ｅ）の順に最大太さから最小太さに線の太さが表示される。‘ペンの太さ調節／ペン選択’メニューボタン１０４ｂから手を離すことによってプレス状態が終了すると、そのプレス状態が終了したときに表示される線の太さで筆記／ドローイングが行われる。このように、‘ペンの太さ調節／ペン選択’メニューボタン１０４ｂをプレスすることによって、線の太さを容易に且つ迅速に調節及び選択することができる。
【０１５５】
図２０は、‘ホーム’メニューボタン１０４ｃをタッピングすることによってページレベルとノートレベルを転換する過程を示した図である。図２０（Ａ）に示したページレベルで‘ホーム’メニューボタン１０４ｃをタッピングすると、ページレベルが図２０（Ｂ）のノートレベルに即時に転換され、ノートレベルでの作業が行われ得る。ノートレベルでは、ノート２００２の選択、削除、コピー及び新たなノートの生成を行うことができる。図２０（Ｂ）は、１１個のノートを示している。ノートレベルで拡張型メニューボタン１０４ａをタップすると、ノートレベルはページレベルに転換される。ページレベルでは、筆記、ドローイング、削除、コピー及び新たなページの生成を行うことができる。
【０１５６】
図２１は、一実施例に係るタブレット１００の速い彩度／明るさ転換過程を示した図である。‘色相選択／彩度調節’メニューボタン１０４ｄを一定時間以上プレシングすると、彩度表示窓２１０２を通じて該当の色相の彩度が予め定められた最小値から予め定められた最大値に順次表示される。すなわち、図２１の（Ａ）、（Ｂ）及び（Ｃ）の順に彩度が予め定められた最小値から予め定められた最大値に順次表示される。最大値の彩度を表示した後は、（Ｃ）、（Ｄ）及び（Ｅ）の順に彩度が最大値から最小値に順次表示される。‘色相選択／彩度調節‘メニューボタン１０４ｄから手を離すことによってプレス状態が終了すると、プレス状態が終了したときに表示される有彩色の彩度が選択され、該当の彩度で筆記／ドローイングが行われる。無彩色の場合、彩度の代わりに明るさを表示及び選択することができる。このように、‘色相選択／彩度調節’メニューボタン１０４ｄをプレシングすることによって、容易に且つ迅速に彩度または明るさを調節及び選択することができる。
【０１５７】
図２２は、一実施例に係るタブレット１００でのペン基盤の入力モードとタッチ基盤の入力モードの選択過程を示した図である。‘ペン／タッチトグル’メニューボタン１０４ｅは、ペン基盤の入力モード及びタッチ基盤の入力モードのうちいずれか一つを選択するために使用される。ユーザーが‘ペン／タッチトグル’メニューボタン１０４ｅをタップする度に、ペン基盤の入力モードとタッチ基盤の入力モードとの間で入力モードがトグルされる。ユーザーが図２２（Ａ）に示したタッチ基盤の入力モードで‘ペン／タッチトグル’メニューボタン１０４ｅをタップすると、タッチ基盤の入力モードは、図２２（Ｂ）に示したようにペン基盤の入力モードに転換される（メニューボタン１０４ｅの形状がペンの形状に変更される）。図２２（Ｂ）に示したペン基盤の入力モードで‘ペン／タッチトグル’メニューボタン１０４ｅをタップすると、ペン基盤の入力モードは、図２２（Ａ）に示したタッチ基盤の入力モードに転換される（メニューボタン１０４ｅの形状が手の形状に変更される）。
【０１５８】
図２３は、実行取り消し（Ｕｎｄｏ）及び反復実行（Ｒｅｄｏ）の過程を示した図である。‘実行取り消し（Ｕｎｄｏ）’メニューボタン１０４ｆは、図２３（Ａ）に示したように、最も最近の作業から以前の作業を一つの単位で順次取り消し、以前の状態に復元するために使用される。例えば、最近の作業が‘書き取り１→書き取り２→削除１→書き取り３’の順に行われた場合、‘実行取り消し（Ｕｎｄｏ）’メニューボタン１０４ｆをタップする度に、作業の実行が‘書き取り３→削除１→書き取り２→書き取り１の順に取り消される。‘再実行（Ｒｅｄｏ）’メニューボタン１０４ｇは、図２３（Ｂ）に示したように、‘実行取り消し（Ｕｎｄｏ）’メニューボタン１０４ｆを通じて行われた単位作業の復元を一つの単位で取り消すために使用される。例えば、上述したように、‘書き取り３→削除１→書き取り２→書き取り１’の順に作業の実行が取り消されたとき、‘再実行（Ｒｅｄｏ）’メニューボタン１０４ｇをタップする度に、‘書き取り１→書き取り２→削除１→書き取り３’の順に各作業が実行される。
【０１５９】
図２４は、現在のページを電子メールまたはソーシャルネットワークサービス（Ｓｏｃｉａｌ  Ｎｅｔｗｏｒｋ  Ｓｅｒｖｉｃｅ、ＳＮＳ）を通じて伝送する過程を示した図である。ＳＮＳメニューボタン１０４ｈは、ＳＮＳ及び電子メールのうち少なくとも一つを通じて該当のページを伝送するために用いられる。図２４（Ａ）に示したＳＮＳメニューボタン１０４ｈをタップすると、図２４（Ｂ）に示したようにポップアップ２４０２が生成される。このポップアップ２４０２は、ブルートゥース、ソーシャルハブ、電子メール、フォトエディター、Ａｌｌｓｈａｒｅ、Ｄｒｏｐｂｏｘ、Ｇ―メール、ピカサ（Ｐｉｃａｓａ）、ワイファイダイレクト（Ｗｉ―Ｆｉ  Ｄｉｒｅｃｔ）などのメニューを表示する。ユーザーは、これらメニューから所望のメニューを選択し、選択されたメニューに対応するサービスを利用することができる。例えば、ユーザーは、ソーシャルハブを通じてＳＮＳにコンテンツをアップロードしたり、電子メールにコンテンツを添付して伝送したり、フォトエディターを実行させることによってイメージコンテンツを編集することができる。ここで、ソーシャルハブは、ツイーター及びフェースブックなどの多様なＳＮＳにアップロードされたテキスト及びメッセージをリアルタイムで同時に表示する統合管理者である。Ａｌｌｓｈａｒｅは、コンピューター、デジタルカメラ、スマートフォンなどを無線ネットワークを介して容易に連結するために用いられる。無線ルーターは、無線ネットワークを構成するために用いられる。Ｄｒｏｐｂｏｘは、クラウドホスティングサービスである。Ｇ―メールは、グーグルによって提供される電子メールサービスである。ピカサは、グーグルによって提供される写真管理アプリケーションであって、他の写真管理アプリケーションも利用可能である。ブルートゥース、ソーシャルハブ、電子メール、フォトエディター、Ａｌｌｓｈａｒｅ、Ｄｒｏｐｂｏｘ、Ｇ―メール、ピカサ（Ｐｉｃａｓａ）、ワイファイダイレクト（Ｗｉ―Ｆｉ  Ｄｉｒｅｃｔ）の他に、同一の機能または類似する機能を有する他のシステムも利用可能である。
【０１６０】
図２５は、新たなページを生成する過程を示した図である。図２５に示したように、以前のページ２５０２が表示される状態で‘ページ生成’メニューボタン１０４ｋをタッピングすると、新たなページ２５０４が生成（追加）される。現在ページが生成されていない場合、内容のない新たなページが生成される。少なくとも一つのページが生成されている場合、現在のページの次に内容のない新たなページが追加される。
【０１６１】
図２６は、一実施例に係るタブレット１００の速い消しゴムモードを示した図である。図２６に示したように、拡張型メニューボタン１０４ａが拡張されていない状態でプレスされると、ペンを用いて現在のページの内容が消される。すなわち、右手ユーザーモードにおいて、ユーザーは、左手１０６Ｌで統合型メニューボタン１０４ａをプレシングした状態で、右手１０６Ｒで握ったペン１０８を用いて削除と記録（筆記／ドローイング）を速く転換しながら実施することができる。この場合、右手作業の連続性が確保され、作業効率が大きく改善される。
【０１６２】
図２７は、一実施例に係るタブレット１００の独立型メニューボタン２７０２の第１の特性を示した図である。第１の特性は弾性である。すなわち、第１の特性によると、ディスプレイ１０２上でのグラフィック的な表現を通じて独立型メニューボタン２７０２が弾性を有するように移動する。図２７に示したように、ユーザーが独立型メニューボタン２７０２をフリックすると、独立型メニューボタン２７０２の動作は、移動する途中で、他の対象（例えば、表示領域の境界または他の独立型メニューボタン）と衝突したときに弾性によって移動方向が変わり、その後、独立型メニューボタン２７０２の移動速度が減少しながら徐々に停止する（まるで、ビリヤード台上のプールボールのように）ように表現される。独立型メニューボタン２７０２の移動速度と距離は、独立型メニューボタン２７０２に加えられるフリッキングの強度によって決定される。独立型メニューボタン２７０２が強くフリックされると独立型メニューボタン２７０２の移動速度と距離が増加し、独立型メニューボタン２７０２が弱くフリックされると独立型メニューボタン２７０２の移動速度と距離が減少する。このように、グラフィック的な表現を通じて、独立型メニューボタン２７０２は、弾性を有するように表現され、ビリヤード台上のプールボールのように移動する。したがって、独立型メニューボタン２７０２を通じて、カジュアルなゲーム要素あるいは視覚的楽しさを提供することができる。独立型メニューボタン２７０２の他に、コンテンツのアイコン（例えば、ノートやページのアイコンまたはイメージのサムネイル）も弾性を有するように表現することによって、同一のカジュアルなゲーム要素あるいは視覚的楽しさを提供することができる。独立型メニューボタン２７０２の第１の特性である弾性は、タブレット１００の環境設定メニューを通じて選択的に活性化または非活性化させることができる。
【０１６３】
図２８は、一実施例に係るタブレット１００の独立型メニューボタン２８０２の第２の特性を示した図である。第２の特性は磁性である。第２の特性によると、ディスプレイ１０２上でのグラフィック的な表現を通じて、独立型メニューボタン２８０２が磁性を有するように移動する。すなわち、図２８に示したように、ユーザーが独立型メニューボタン２８０２をフリックすると、独立型メニューボタン２８０２の移動は、移動する途中で、他の対象（例えば、表示領域の境界または他の独立型メニューボタン）に接触すると他の対象にくっ付くように表現される（まるで、磁石と金属が互いにくっ付くように）。独立型メニューボタン２８０２の移動速度と距離は、独立型メニューボタン２８０２に加えられるフリッキングの強度によって決定される。独立型メニューボタン２８０２が強くフリックされると独立型メニューボタン２８０２の移動速度と距離が増加し、独立型メニューボタン２８０２が弱くフリックされると独立型メニューボタン２８０２の移動速度と距離が減少する。このように、グラフィック的な表現を通じて、独立型メニューボタン２８０２は、磁性を有するように表現され、磁石のように移動する。したがって、独立型メニューボタン２８０２を通じてカジュアルなゲーム要素あるいは視覚的楽しさを提供することができる。独立型メニューボタン２８０２の他にも、コンテンツのアイコン（例えば、ノートやページ、イメージのサムネイルまたはアイコン）も磁性を有するように表現することによって、同一のカジュアルなゲーム要素あるいは視覚的楽しさを提供することができる。このような独立型メニューボタン２８０２の第２の特性である磁性は、タブレット１００の環境設定メニューを通じて選択的に活性化または非活性化させることができる。
【０１６４】
図２９は、一実施例に係るタブレット１００のディスプレイ１０２の表示領域の境界に付与された特性を示した図である。図２９に示したように、ディスプレイ１０２上でのグラフィック的な表現を通じてディスプレイ１０２の表示領域の境界の一部が磁性を有するように表現され、この部分を第１の境界領域２９０２と称する。第１の境界領域２９０２が接着特性を有するので、第１の境界領域２９０２に独立型メニューボタン２９０４がくっ付くことができる。この特性を用いると、図５に示したように、複数の独立型メニューボタン１０４ｂ―１０４ｍを容易に整列することができる。例えば、第１の境界領域２９０２から離れて位置する磁性を有さない独立型メニューボタン２９０４を第１の境界領域２９０２側に移動させると、独立型メニューボタン２９０４は、第１の境界領域２９０２の近くに進行し、第１の境界領域２９０２にくっ付くようになる。この方法を用いると、多数の独立型メニューボタンを容易に且つ迅速に第１の境界領域２９０２の周辺に整列することができる。独立型メニューボタン２９０４の他にも、コンテンツのアイコン（例えば、ノートやページ、イメージのサムネイルまたはアイコン）も磁性を有するように表現することによって、容易に且つ迅速に整列することができる。左手ユーザーモードと右手ユーザーモードのそれぞれで第１の境界領域２９０２の位置をユーザーインターフェース１０４の位置に対応するように変化させると、ペンを握っていない手は、第１の境界領域２９０２にくっ付いた独立型メニューボタンに容易に接近することができる。
【０１６５】
図３０は、一実施例に係るタブレット１００のディスプレイ１０２の表示領域の境界に付与された他の特性を示した図である。図３０に示したように、ディスプレイ１０２上でのグラフィック的な表現を通じてディスプレイ１０２の表示領域の境界の一部がアイテムの削除のための領域として表現され、この領域を第２の境界領域３００２と称する。第２の境界領域３００２は、メニューまたはコンテンツのアイコンを削除するためのものであって、ウィンドウのごみ箱として作用する。すなわち、ディスプレイ１０２の表示領域内の表示されるアイコン３００４が第２の境界領域３００２を通過しながら該当のアイコン３００４が削除される。しかし、アイコン３００４が第２の境界領域３００２を通過して削除されたとしても、アイコン３００４に対応するメニューまたはコンテンツがタブレット１００から完全に削除されない。メニューは、拡張型メニューボタン１０４ａを通じていつでも復元（再生）することができ、コンテンツは、復元命令を通じて復元することができる。
【０１６６】
図２９に示した第１の境界領域２９０２と図３０に示した第２の境界領域３００２以外のディスプレイ１０２の表示領域の境界領域は、第３の境界領域であって、第１及び第２の境界領域と異なる特性を有するか、何ら特性も有さない。
【０１６７】
一実施例に係るタブレット１００の拡張型メニューボタン１０４ａは、ノートレベルとページレベルのそれぞれでポップアップを呼び出すために用いられる。さらに、ノートレベルとページレベルのそれぞれで、拡張型メニューボタン１０４ａのタッピングとプレシングによって互いに異なるポップアップが呼び出される。すなわち、ノートレベルでタッピングとプレシング動作によって二つの異なるポップアップが呼び出され、ページレベルでもタッピングとプレシング動作によって二つの異なるポップアップが呼び出される。図３１〜図３３は、ノートレベルでタッピング動作によって呼び出されるポップアップを示した図で、図３４〜図３９は、ノートレベルでプレシング動作によって呼び出されるポップアップを示した図である。図４０〜図４２は、ページレベルでタッピング動作によって呼び出されるポップアップを示した図で、図４３〜図４８は、ページレベルでプレシング動作によって呼び出されるポップアップを示した図である。
【０１６８】
図３１は、一実施例に係るタブレット１００のノートレベルでの拡張型メニューボタン１０４ａのタッピング操作を通じたメニュー呼び出し過程を示した図である。図３１に示したように、ユーザーが図３１（Ａ）に示したノートレベルで拡張型メニューボタン１０４ａをタップすると、図３１（Ｂ）に示したようにポップアップ３１０２（第１のノートレベルポップアップ）が生成される。ポップアップ３１０２は、‘新たなノート生成’及び‘ＰＤＦ取り出し’メニューを含む。ユーザーは、‘新たなノート生成’メニューを通じて新たなノートを生成したり、既に生成されているＰＤＦファイルを‘ＰＤＦ取り出し’メニューを通じて取り出すことができ、ユーザーがポップアップ３１０２の空の領域をタップすると、取り消しメニューを選択したように動作し、（Ｂ）状態が図３１（Ａ）のノートレベルに復帰することができる。
【０１６９】
図３２は、図３１に示したポップアップ３１０２から‘新たなノート生成’メニューを選択することによって、ノートレベルで新たなノートを生成する過程を示した図である。図３２に示したように、ユーザーが図３２（Ａ）に示したノートレベルで拡張型メニューボタン１０４ａをタップすると、上述したようにポップアップ３１０２が生成される。ユーザーが図３２（Ｂ）に示したように、ポップアップ３１０２から‘新たなノート生成’メニューを選択すると、図３２（Ｃ）に示したようにノートカバーイメージ３２０２と仮想キーボード３２０４が表示される。ノートカバーイメージ３２０２の上端には、ノートの題目を入力できる入力ボックス３２０６が設けられ、仮想キーボード３２０４を用いてノートの題目を入力することができる。ノートの題目を入力すると、図３２（Ｄ）に示したように、ノートを生成するか、それとも、ノート生成を取り消すかを確認するためのポップアップ３２０８が生成される。ユーザーが‘ノート生成’メニューを選択すると、入力した題目のノートが生成される。ユーザーがポップアップ３２０８の空の領域をタップすると、取り消しメニューを選択したように動作し、ノート生成作業を取り消し、図３２（Ａ）に示したように初期ノートレベルに復帰する。
【０１７０】
図３３は、図３１に示したポップアップ３１０２から‘ＰＤＦ取り出し’メニューを選択することによって、ノートレベルでＰＤＦファイルを取り出す過程を示した図である。図３３に示したように、ユーザーが図３３（Ａ）に示したノートレベルで拡張型メニューボタン１０４ａをタップすると、図３１を参照して説明したポップアップ３１０２が生成される。図３３（Ｂ）に示したように、ユーザーがポップアップ３１０２から‘ＰＤＦ取り出し’メニューを選択すると、図３３（Ｃ）に示したように既に保存されている各ＰＤＦファイルのリスト３３０６が表示される。ユーザーがディスプレイ１０２に表示される各ＰＤＦファイルのリスト３３０６から所望のＰＤＦファイルを選択すると、図３３（Ｄ）に示したように、選択された各ＰＤＦファイルの取り出し状態は、取り出し状態を示す状態表示窓３３０８を通じて表示される。選択されたＰＤＦファイルの取り出しが完了すると、取り出されたＰＤＦファイルからなる新たなノート３３１０が生成される。
【０１７１】
図３４は、一実施例に係るタブレット１００のノートレベルで拡張型メニューボタン１０４ａのプレス操作を通じたメニュー呼び出し過程を示した図である。図３４に示したように、ユーザーが図３４（Ａ）に示したノートレベルで拡張型メニューボタン１０４ａをプレシングした状態で少なくとも一つのノート３４０２を選択すると、図３４（Ｂ）に示したようにポップアップ３４０４（第２のノートレベルポップアップ）が生成される。ポップアップ３４０４は、‘コピー’、‘切り取り’、‘削除’、‘ＰＤＦファイルを電子メールで伝送’及び‘カバー変更’メニューを含み、ユーザーは、ポップアップ３４０４のメニューを選択することによって、選択されたノート３４０２に対して‘コピー’、‘切り取り’、‘削除’、‘ＰＤＦファイルを電子メールで伝送’及び‘カバー変換’作業を行うことができる。
【０１７２】
図３５は、図３４に示したポップアップ３４０４から‘コピー’メニューを選択することによって、ノートレベルで既に生成されているノートをコピーする過程を示した図である。図３５に示したように、ユーザーが図３５（Ａ）に示したノートレベルで拡張型メニューボタン１０４ａをプレシングした状態でコピーしようとする少なくとも一つのノート３４０２を選択すると、図３５（Ｂ）に示したように、図３４を参照して説明したポップアップ３４０４が生成される。ユーザーがポップアップ３４０４から‘コピー’メニューを選択し、図３５（Ｃ）に示したように、選択されたノート３４０２を貼り付ける位置（ノート順序上の位置）に対応する以前のノート３５０４を選択（タップ）し、図３５（Ｄ）に示したように、拡張型メニューボタン１０４ａをタップすると、図３５（Ｅ）に示したように新たなポップアップ３５０６（コピーメニューポップアップ）が生成される。このポップアップ３５０６は、‘前に貼り付け’、‘後に貼り付け’及び‘ノート生成’メニューを含む。‘前に貼り付け’メニューが選択されると、コピーしたノート３４０２を図３５（Ｃ）で選択されたノート３５０４より前に貼り付ける。‘後に貼り付け’メニューが選択されると、コピーしたノート３４０２を図３５（Ｃ）で選択されたノート３５０４より後に貼り付ける。‘ノート生成’メニューを選択すると、コピーしたノート３５０２の内容を含む新たなノートが生成される。ユーザーがポップアップ３５０６の空の領域をタップすると、取り消しメニューを選択した場合と同一の結果を得ることができる。
【０１７３】
図３６は、図３４に示したポップアップ３４０４から‘切り取り’メニューを選択することによって、ノートレベルで既に生成されているノートを切り取る過程を示した図である。図３６に示したように、ユーザーが図３６（Ａ）に示したノートレベルで拡張型メニューボタン１０４ａをプレシングした状態で切り取ろうとする少なくとも一つのノート３４０２を選択すると、図３６（Ｂ）に示したように、図３４を参照して説明したポップアップ３４０４が生成される。ユーザーがポップアップ３４０４から‘切り取り’メニューを選択した後、図３６（Ｃ）に示したように、選択されたノート３４０２を貼り付ける位置（ノート順序上の位置）に対応する以前のノート３６０４を選択（タップ）し、図３６（Ｄ）に示したように拡張型メニューボタン１０４ａをタップすると、図３６（Ｅ）に示したように新たなポップアップ３６０６が生成される。このポップアップ３６０６は、‘前に貼り付け’メニュー、‘後に貼り付け’メニュ、及び‘ノート生成’メニューを含む。‘前に貼り付け’メニューが選択されると、図３６（Ｃ）で選択されたノート３６０４の前に切り取ったノート３４０２を貼り付ける。‘後に貼り付け’メニューが選択されると、切り取ったノート３４０２を、図３６（Ｃ）で選択されたノート３６０４の後に貼り付ける。‘ノート生成’メニューを選択すると、切り取ったノート３６０２の内容を含む新たなノートが生成される。ユーザーがポップアップ３６０６の空の領域をタップすると、取り消しメニューが選択されたように動作し、ポップアップ３６０６を除去し、ノートレベルの初期状態に復帰する。
【０１７４】
図３７は、図３４に示したポップアップ３４０４から‘削除’メニューを選択することによって、ノートレベルで既に生成されているノートを削除する過程を示した図である。図３７に示したように、ユーザーが図３７（Ａ）に示したノートレベルで拡張型メニューボタン１０４ａをプレシングした状態で削除しようとする少なくとも一つのノート３４０２を選択すると、図３４を参照して説明したポップアップ３４０４が生成される。ユーザーがポップアップ３４０４から‘削除’メニューを選択すると、図３７（Ａ）で選択されたノート３４０２が削除される。すなわち、図３７（Ｃ）に示したように、選択されたノート３４０２が削除され、他のノートが整列される。
【０１７５】
図３８は、図３４に示したポップアップ３４０４から‘ＰＤＦファイルを電子メールで伝送’メニューを選択することによって、ノートレベルで既に生成されているノートをＰＤＦファイルに変換し、電子メールにＰＤＦファイルを添付して伝送する過程を示した図である。この場合、選択されたノートをＰＤＦファイルに変換し、ＰＤＦファイルを電子メールに添付する過程が簡単な操作を通じて行われる。一実施例に係るタブレット１００は、通信部４１０を通じて有線／無線インターネットに接続可能である。したがって、ユーザーは、タブレット１００に電子メールアカウントを登録することによって、タブレット１００を用いて電子メールを伝送することができる。
【０１７６】
ユーザーが現在生成されているか、既に生成されているノートを電子メールに添付して伝送しようとすると、図３８（Ａ）に示したノートレベルで拡張型メニューボタン１０４ａをプレシングした状態で電子メールに添付しようとするノート３４０２を選択すると、図３８（Ｂ）に示したように、図３４を参照して説明したようにポップアップ３４０４が生成される。このポップアップ３４０４から‘ＰＤＦファイルを電子メールで伝送’メニューを選択すると、図３８（Ｃ）に示したように、選択されたノート３４０２をＰＤＦファイルに変換する過程が表示される。選択されたノート３４０２のＰＤＦファイルへの変換が完了すると、図３８（Ｄ）に示したように、電子メール作成画面が自動的に表示される。電子メール作成画面は、受信者の電子メールアカウント、参照電子メールアカウント、題目、ファイル添付のための入力ボックス３８０４、テキスト入力窓３８０６及び仮想キーボード３８０８を表示する。受信者の電子メールアカウント、参照電子メールアカウント、題目、テキストの入力及びファイル添付が完了すると、ユーザーは、伝送ボタン３８１０をタッピングすることによって電子メールを伝送することができる。入力ボックス３８０４を見ると、００００１．ＰＤＦ及び００００２．ＰＤＦという題目のＰＤＦファイルが電子メールに添付されていることが分かる。ＰＤＦファイルは、ユーザーが電子メール伝送のために選択されたノート３４０２のファイル名に該当し、００００１及び００００２というファイル名のノート３４０２は、ＰＤＦファイルに変換されて自動的に電子メールに添付される。図３８に示したように、ユーザーが所望のコンテンツを電子メールに添付して伝送しようとするとき、ユーザーは、該当のコンテンツを選択し、‘ＰＤＦファイルを電子メールで伝送’メニューを選択するだけでよい。そして、コンテンツのＰＤＦファイルへの変換とＰＤＦファイルの電子メールへの添付が自動的に行われるので、電子メール伝送作業を迅速且つ便利に完了することができる。コンテンツをＰＤＦファイルに変換することは、別途の実行アプリケーションを用いることなく、インターネットを介して容易に獲得されるＰＤＦビューアーを用いるためである。必要に応じて、コンテンツは、ＰＤＦファイルの代わりに、ＪＰＧファイルなどの他のフォーマットのファイルに変換して伝送することもできる。
【０１７７】
図３９は、図３４に示したポップアップ３４０４から‘カバー変更’メニューを選択することによって、ノートレベルで既に生成されているノートのカバーを変更する過程を示した図である。図３９に示したように、図３９（Ａ）に示したノートレベルで拡張型メニューボタン１０４ａをプレシングした状態でカバーを変更しようとするノート３４０２を選択すると、図３４を参照して説明したようにポップアップ３４０４が生成される。このポップアップ３４０４から図３９（Ｂ）に示したように‘カバー変更’メニューを選択すると、図３９（Ｃ）に示したように、タブレット１００によって提供される少なくとも一つのカバー３９０４（例えば、多様なデザインのカバー）が表示される。ユーザーは、本のページをめくるように画面をフリッキングしながら少なくとも一つのカバー３９０４のデザインを確認し、所望のカバー３９０４を選択することができる。制御部４０２は、選択されたノート３４０２のカバーをユーザーによって新たに選択されたカバー３９０４に変更する。少なくとも一つのカバー３９０４の種類の例は、皮カバー、スプリングノート及びリングバインダーなどを含むことができ、その他にも、多くの多様なデザインのカバーが設けられる。少なくとも一つのカバー３９０４は、タブレット１００によって基本的に提供されたり、オンラインマーケットで購入される。一方、カバー３９０４は、他のユーザーによってカスタマイズされ、無料／有料で配布されるオーダーメイドのカバーであってもよい。カバー３９０４の種類が非常に多いため、一つの画面に全てのカバーを表示できない場合、ユーザーは、画面を左側または右側に本のページをめくるようにフリッキングすることによってカバー３９０４を確認することができる。
【０１７８】
図４０は、一実施例に係るタブレット１００のページレベルでの拡張型メニューボタン１０４ａのタッピング操作を通じたメニュー呼び出し過程を示した図である。図４０に示したように、ユーザーが図４０（Ａ）に示したページレベルで拡張型メニューボタン１０４ａをタップすると、図４０（Ｂ）に示したポップアップ４００２が生成される。ポップアップ４００２は、‘新たなページ生成’メニュー及び‘ＰＤＦ取り出し’メニューを含む。ユーザーは、‘新たなページ生成’メニューを通じて新たなページを生成したり、既に生成されているＰＤＦファイルを‘ＰＤＦ取り出し’メニューを通じて取り出すことができる。ユーザーがポップアップ４００２の空の領域をタップすると、取り消しメニューが選択されたように動作し、（Ｂ）状態が図４０（Ａ）のページレベルに復帰することができる。
【０１７９】
図４１は、図４０に示したポップアップ４００２から‘新たなページ生成’メニューを選択することによって、ページレベルで新たなページを生成する過程を示した図である。図４１に示したように、ユーザーが図４１（Ａ）に示したページレベルで拡張型メニューボタン１０４ａをタップすると、図４０を参照して説明したようにポップアップ４００２が生成される。図４１（Ｂ）に示したように、ユーザーがポップアップ４００２から‘新たなページ生成’を選択すると、図４１（Ｃ）に示したように新たなページ４１０２が生成される。ユーザーがポップアップ４００２の空の領域をタップすると、取り消しメニューが選択されたように動作し、ページ生成作業を取り消し、図４１（Ａ）に示したように初期ページレベルに状態が復帰する。
【０１８０】
図４２は、図４０に示したポップアップ４００２から‘ＰＤＦ取り出し’メニューを選択することによって、ページレベルでＰＤＦファイルを取り出す過程を示した図である。図４２に示したように、ユーザーが図４２（Ａ）に示したページレベルで拡張型メニューボタン１０４ａをタップすると、図４０を参照して説明したポップアップ４００２が生成される。ユーザーが図４２（Ｂ）に示したように、ポップアップ４００２から‘ＰＤＦ取り出し’メニューを選択すると、図４２（Ｃ）に示したように、既に保存されている各ＰＤＦファイルのリスト４２０６が表示される。ユーザーがディスプレイ１０２に表示されるＰＤＦファイルのリスト４２０６から所望のＰＤＦファイルを選択すると、図４２（Ｄ）に示したように、取り出し状態を示す状態表示窓４２０８を通じて選択されたＰＤＦファイルの取り出し状態が表示される。選択されたＰＤＦファイルの取り出しが完了すると、取り出されたＰＤＦファイルからなる新たなページ４２１０が生成される。
【０１８１】
図４３は、一実施例に係るタブレット１００のページレベルで拡張型メニューボタン１０４ａのプレシング操作を通じたメニュー呼び出し過程を示した図である。図４３に示したように、ユーザーが図４３（Ａ）に示したページレベルで拡張型メニューボタン１０４ａをプレスした状態で少なくとも一つのページ４３０２を選択すると、図４３（Ｂ）に示したようにポップアップ４３０４が生成される。ポップアップ４３０４は、‘コピー’、‘切り取り’、‘削除’、‘ＰＤＦファイルを電子メールで伝送’及び‘中紙変更’メニューを含み、ユーザーは、ポップアップ４３０４の各メニューを選択することによって、選択されたページ４３０２に対して‘コピー’、‘切り取り’、‘削除’、‘ＰＤＦファイルを電子メールで伝送’及び‘中紙変更’を行うことができる。
【０１８２】
図４４は、図４３に示したポップアップ４３０４から‘コピー’メニューを選択することによって、ページレベルで既に生成されているページをコピーする過程を示した図である。図４４に示したように、ユーザーが図４４（Ａ）に示したページレベルで拡張型メニューボタン１０４ａをプレシングした状態でコピーしようとする少なくとも一つのページ４３０２を選択すると、図４４（Ｂ）に示したように、図４３を参照して説明したポップアップ４３０４が生成される。ユーザーがポップアップ４３０４から‘コピー’メニューを選択した後、図４４（Ｃ）に示したように、選択されたページ４３０２を貼り付ける位置（ページ順序上の位置）に対応する以前のページ４４０４を選択（タップ）し、図４４（Ｄ）に示したように拡張型メニューボタン１０４ａをタップすると、図４４（Ｅ）に示したように新たなポップアップ４４０６が生成される。このポップアップ４４０６は、‘前に貼り付け’、‘後に貼り付け’及び‘ページ生成’メニューを含む。‘前に貼り付け’メニューが選択されると、コピーしたページ４３０２を図４４（Ｃ）で選択されたページ４４０４より前に貼り付ける。‘後に貼り付け’メニューが選択されると、コピーしたページ４３０２を図４４（Ｃ）で選択されたページ４４０４より後に貼り付ける。‘ページ生成’メニューを選択すると、コピーしたページ４３０２の内容を含む新たなページが生成される。ユーザーがポップアップ４４０６の空の領域をタップすると、ポップアップ４４０６を除去し、初期ページレベルに復帰することができる。
【０１８３】
図４５は、図４３に示したポップアップ４３０４から‘切り取り’メニューを選択することによって、ページレベルで既に生成されているページを切り取る過程を示した図である。図４５に示したように、ユーザーが図４５（Ａ）に示したページレベルで拡張型メニューボタン１０４ａをプレシングした状態で切り取ろうとする少なくとも一つのページ４３０２を選択すると、図４５（Ｂ）に示したように、図４３を参照して説明したポップアップ４３０４が生成される。ユーザーがポップアップ４３０４から‘切り取り’メニューを選択した後、図４５（Ｃ）に示したように、選択されたページ４３０２を貼り付ける位置（ページ順序上の位置）に対応する以前のページ４５０４を選択（タップ）し、図４５（Ｄ）に示したように拡張型メニューボタン１０４ａをタップすると、図４５（Ｅ）に示したように新たなポップアップ４５０６が生成される。このポップアップ４５０６は、‘前に貼り付け’メニュー、‘後に貼り付け’メニュー及び‘ページ生成’メニューを含む。‘前に貼り付け’メニューが選択されると、切り取ったページ４３０２を図４５（Ｃ）で選択されたページ４５０４より前に貼り付ける。‘後に貼り付け’メニューが選択されると、切り取ったページ４３０２を図４５（Ｃ）で選択されたページ４５０４より後に貼り付ける。‘ページ生成’メニューを選択すると、切り取ったページ４３０２の内容を含む新たなページが生成される。ユーザーがポップアップ４５０６の空の領域をタップすると、取り消しメニューが選択されたように動作し、ポップアップ４５０６を除去し、ページレベルの初期状態に復帰することができる。
【０１８４】
図４６は、図４３に示したポップアップ４３０４から‘削除’メニューを選択することによって、ページレベルで既に生成されているページを削除する過程を示した図である。図４６に示したように、ユーザーが図４６（Ａ）に示したページレベルで拡張型メニューボタン１０４ａをプレシングした状態で削除しようとする少なくとも一つのページ４３０２を選択すると、図４６（Ｂ）に示したように、図４３を参照して説明したポップアップ４３０４が生成される。ユーザーがポップアップ４３０４から‘削除’メニューを選択すると、図４６（Ａ）で選択されたページ４３０２が削除される。すなわち、図４６（Ｃ）に示したように、選択されたページ４３０２が削除され、他のページが整列される。
【０１８５】
図４７は、図４３に示したポップアップ４３０４から‘ＰＤＦファイルを電子メールで伝送’メニューを選択することによって、ページレベルで既に生成されているページをＰＤＦファイルに変換し、ＰＤＦファイルを電子メールに添付して伝送する過程を示した図である。この場合、選択されたページをＰＤＦファイルに変換し、ＰＤＦファイルを電子メールに添付する過程が簡単な動作を通じて行われる。一実施例に係るタブレット１００は、通信部４１０を通じて有線／無線インターネットに接続可能である。したがって、ユーザーは、タブレット１００に電子メールアカウントを登録することによって、タブレット１００を用いて電子メールを伝送することができる。
【０１８６】
ユーザーが現在生成されているか、既に生成されているページを電子メールに添付して伝送しようとすると、図４７（Ａ）に示したページレベルで拡張型メニューボタン１０４ａをプレシングした状態で電子メールに添付しようとするページ４３０２を選択すると、図４７（Ｂ）に示したように、図４３を参照して説明したポップアップ４３０４が生成される。このポップアップ４３０４から‘ＰＤＦファイルを電子メールで伝送’メニューを選択すると、図４７（Ｃ）に示したように、選択されたページ４３０２をＰＤＦファイルに変換する過程が表示される。選択されたページ４３０２のＰＤＦファイルへの変換が完了すると、図４７（Ｄ）に示したように、電子メール作成画面が自動的に表示される。電子メール作成画面は、受信者の電子メールアカウント、参照電子メールアカウント、題目、ファイル添付のための入力ボックス４７０４、テキスト入力窓４７０６及び仮想キーボード４７０８を表示する。受信者の電子メールアカウント、参照電子メールアカウント、題目、テキストの入力及びファイル添付が完了すると、ユーザーは、伝送ボタン４７１０をタッピングすることによって電子メールを伝送することができる。入力ボックス４７０４を見ると、００００１．ＰＤＦ及び００００２．ＰＤＦという題目のＰＤＦファイルが電子メールに添付されていることが分かるが、ＰＤＦファイルは、ユーザーによって電子メール伝送のために選択されたページ４３０２のファイル名に対応する。すなわち、００００１及び００００２というファイル名のページ４３０２は、ＰＤＦファイルに変換され、自動的に電子メールに添付される。図４７に示したように、ユーザーが所望のコンテンツを電子メールに添付して伝送しようとすると、ユーザーが該当のコンテンツを選択し、‘ＰＤＦファイルを電子メールで伝送’メニューを選択するだけで、該当のコンテンツのＰＤＦファイルへの変換とＰＤＦファイルの電子メールへの添付が自動的に行われるので、電子メール伝送作業を迅速且つ便利に完了することができる。コンテンツをＰＤＦファイルに変換することは、受信者が別途の実行アプリケーションを用いることなく、インターネットを介して容易に獲得されるＰＤＦビューアーを用いるようにするためである。必要に応じて、ＰＤＦファイルの代わりに、ＪＰＧファイルなどの異なるフォーマットでコンテンツをファイルに変換して伝送することもできる。
【０１８７】
図４８は、図４３に示したポップアップ４３０４から‘中紙変更’メニューを選択することによって、ページレベルで既に生成されているページの中紙を変更する過程を示した図である。図４８に示したように、ユーザーが図４８（Ａ）に示したページレベルで拡張型メニューボタン１０４ａをプレシングした状態で中紙を変更しようとするページ４８０２を選択すると、図４３を参照して説明したようにポップアップ４３０４が生成される。このポップアップ４３０４から図４８（Ｂ）に示したように‘中紙変更’メニューを選択すると、図４８（Ｃ）に示したように、タブレット１００によって提供される多様な中紙４８０４が表示される。ユーザーは、本のページをめくるように画面をフリッキングしながら各中紙４８０４のデザインを確認し、所望の中紙４８０４を選択することができる。中紙４８０４の種類の例は、一般的なラインが描かれた中紙、原稿用紙、楽譜を書くための五線紙、格子が描かれた方眼紙、書き取り練習のための用紙などを含むことができ、多様なデザインの多くの中紙が設けられる。中紙４８０４は、タブレット１００によってデフォルトとして提供されるか、オンラインマーケットで購入される。その他に、中紙４８０４は、他のユーザーによってカスタマイズされて無料／有料で配布されるオーダーメイドの中紙であってもよい。中紙４８０４の種類が非常に多いため、中紙を一つの画面に全て表示できない場合、ユーザーは、本のページをめくるように画面を左側または右側にフリッキングすることによって中紙３２０４を確認することができる。
【０１８８】
図４９は、一実施例に係るタブレット１００でのレイヤー構造を示した図である。一実施例に係るタブレット１００のレイヤー構造は、内容の追加／修正／削除が行われない第１のレイヤーと、内容の追加／修正／削除が行われる第２のレイヤーとを含む。図４９に示したように、予め定められた書式の中紙（例えば、楽譜を書くための五線紙）を背景レイヤー４９０２（第１のレイヤー）として設定し、ユーザーが筆記／ドローイングする内容を筆記／ドローイングレイヤー４９０４（第２のレイヤー）として設定する。ディスプレイ１０２上では背景レイヤー４９０２と筆記／ドローイングレイヤー４９０４が組み合わされた状態で表示されるが、内容の追加／修正／削除は筆記／ドローイングレイヤー４９０４に対してのみ行われる。例えば、図４９に示した五線紙上に楽譜を書いたり修正すると、背景レイヤー４９０２の五線紙の書式はそのまま維持された状態で筆記／ドローイングレイヤー４９０４のみに楽譜が書かれたり修正される。このような背景レイヤー４９０２と筆記／ドローイングレイヤー４９０４は、互いに異なるレイヤーとして取り扱われるが、統合されて一つのページ単位で取り扱われる。
【０１８９】
図５０は、既に生成されているテキスト／イメージを背景レイヤーとして有する筆記／ドローイングレイヤーの構成を示した図である。図４９に示した中紙の他にも、既に作成されたテキスト／イメージに注釈をつけたり、テキスト／イメージに内容を追加することができる。図５０を参照すると、既に生成されているテキスト／イメージを背景レイヤー５００２として取り扱い、テキスト／イメージに付加する注釈や内容を筆記／ドローイングレイヤー５００４として取り扱う。このような背景レイヤー５００２と筆記／ドローイングレイヤー５００４は、組み合わされた状態５００６で表示され、互いに異なるレイヤーとして取り扱われるが、統合されて一つのページ単位として取り扱われる。
【０１９０】
図５１は、ディスプレイ１０２の表示領域全体を筆記／ドローイング領域として使用する例を示した図である。図５１を参照すると、ディスプレイ１０２上には、ユーザーインターフェース１０４ａのレイヤー５１０２と筆記／ドローイング領域のレイヤー５１０４が存在する。このように、ユーザーインターフェース１０４ａの表示のためのレイヤー５１０２と筆記／ドローイングのためのレイヤー５１０４を互いに区分することによって、ディスプレイ１０２上にユーザーインターフェース１０４ａが表示されたとしても、このユーザーインターフェース１０４ａを含むディスプレイ１０２の全体の表示領域を筆記／ドローイング領域として使用できるようにする。この場合、ユーザーインターフェース１０４ａが表示される領域はタッチ基盤の入力に対してのみ反応し、筆記／ドローイング領域はペン基盤の入力に対してのみ反応することができる。したがって、ディスプレイ１０２の画面全体を筆記／ドローイング領域として活用することができ、ディスプレイ１０２の活用度を高めることができる。ユーザーインターフェース１０４ａと筆記／ドローイング内容とが重なる領域では、ユーザーインターフェース１０４ａが筆記／ドローイング内容より上側に表示される。または、ユーザーインターフェース１０４はより鮮明に表示され、筆記／ドローイング内容は不鮮明（不明瞭）に表示される。ただし、ユーザーインターフェース１０４ａが表示されない領域では、筆記／ドローイング内容のみが表示される。
【０１９１】
図５２は、一実施例のタブレット１００の拡張型メニューボタン１０４ａとタッチ動作との組み合わせによる多様な相互作用を示した図である。図５２（Ａ）は、ノートレベルでの相互作用を示し、参照符号５２０４、５２０６、５２０８及び５２１０は、ペンを握った手（例えば、右手ユーザーの右手）を用いた相互作用を示し、５２１２は、ペンを握っていない手（例えば、右手ユーザーの左手）を用いた相互作用を示す。ユーザーは、ペンを握っていない左手（５２１２）で拡張型メニューボタン１０４ａをプレシングした状態でペンを握った右手を用いて多様な相互作用５２０４、５２０６、５２０８、５２１０を通じて多様な作業を行うことができる。参照符号５２０４は、ペンを握った手の二つの指（例えば、親指と中指または親指と薬指など）を閉じてから広げることによって行われるズームイン作業を示す。参照符号５２０６は、ペンを握った手の二つの指（例えば、親指と中指または親指と薬指など）を広げてから閉じることによって行われるズームアウト作業を示す。この場合、ズームインによってディスプレイ１０２に表示されるノートの数が１６、４及び１の順に減少し、ズームアウトによって１、４及び１６の順に増加する。例えば、ディスプレイ１０２に４個のノートが表示されていると、ズームインによって１個のノートが表示され、ズームアウトによって１６個のノートが表示される。ここで、１、４及び１６は、一つの画面に表示可能なノートの最大数を意味し、全体のノートの数が、一つの画面に表示可能なノートの最大数より小さい場合、全体のノートがディスプレイ１０２に表示される。参照符号５２０８は、ペンを握った手の一つの指（例えば、人差し指または中指など）を用いたドラッグ作業を示す。この場合、ユーザーがペンを握っていない手で拡張型メニューボタン１０４ａをプレスしていると、ドラッグ作業５２０８によって多重選択が行われるが、ユーザーがペンを握っていない手で拡張型メニューボタン１０４ａをプレスしていないと、フリッキング作業５２１０によって画面フリッキングなどの作業が行われる。ただし、ペンを握った手とペンを握っていない手は互いに区分される必要はなく、タブレットを使用するためのより便利な環境を提供するために、ペンを握った手を用いる相互作用と、ペンを握っていない手を用いる相互作用とを互いに区分することができる。
【０１９２】
図５２（Ｂ）は、ページレベルでの相互作用を示し、参照符号５２１４、５２１６、５２１８及び５２２０は、ペンを握った手（例えば、右手ユーザーの右手）を用いた相互作用を示し、５２２２は、ペンを握っていない手（例えば、右手ユーザーの左手）を用いた相互作用を示す。ユーザーは、ペンを握っていない左手（５２２２）で拡張型メニューボタン１０４ａをプレシングした状態でペンを握った右手を用いて多様な相互作用５２１４、５２１６、５２１８、５２２０を通じて多様な作業を行うことができる。参照符号５２１４は、ペンを握った手の二つの指（例えば、親指と中指または親指と薬指など）を閉じてから広げることによって行われるズームイン作業を示し、参照符号５２１６は、ペンを握った手の二つの指（例えば、親指と中指または親指と薬指など）を広げてから閉じることによって行われるズームアウト作業を示す。この場合、ズームインによってディスプレイ１０２に表示されるページの数が１６、４及び１の順に減少し、ズームアウトによって１、４及び１６の順に増加する。例えば、ディスプレイ１０２に４個のページが表示されていると、ズームインによって１個のページが表示され、ズームアウトによって１６個のページが表示される。ここで、１、４及び１６は、一つの画面に表示可能なページの最大数を意味し、全体のページの数が、一つの画面上に表示可能なページの最大数より小さい場合、全体のページがディスプレイ１０２に表示される。参照符号５２１８は、ペンを握った手の一つの指（例えば、人差し指または中指など）を用いたドラッグ作業を示す。この場合、ペンを握っていない手で拡張型メニューボタン１０４ａをプレスしていると、ドラッグ作業５２８０によって多重選択が行われるが、ペンを握っていない手で拡張型メニューボタン１０４ａをプレスしていないと、フリッキング５２２０によって画面フリッキングなどの作業が行われる。ただし、ペンを握った手とペンを握っていない手は互いに区分される必要はなく、タブレットを使用するためのより便利な環境を提供するために、ペンを握った手を用いる相互作用と、ペンを握っていない手を用いる相互作用とを互いに区分することができる。
【０１９３】
図５２（Ｃ）は、筆記モードでの相互作用を示し、参照符号５２２４、５２２６、５２２８及び５２３０は、ペンを握った手（例えば、右手ユーザーの右手）を用いた相互作用を示し、５２３２は、ペンを握っていない手（例えば、右手ユーザーの左手）を用いた相互作用を示す。ユーザーは、ペンを握っていない左手（５２３２）で拡張型メニューボタン１０４ａをプレシングした状態でペンを握った右手を用いて多様な相互作用５２２４、５２２６、５２２８を通じて多様な作業を行うことができる。参照符号５２２４は、ペンを握った手の二つの指（例えば、親指と中指または親指と薬指など）を閉じてから広げることによって行われるズームイン作業を示し、参照符号５２２６は、ペンを握った手の二つの指（例えば、親指と中指または親指と薬指など）を広げてから閉じることによって行われるズームアウト作業を示す。この場合、ズームインによってディスプレイ１０２に表示される入力ページが拡大され、ズームアウトによって縮小される。参照符号５２２８は、ペンを握った手の一つの指（例えば、人差し指または中指など）を用いたドラッグ作業を示す。この場合、ユーザーがペンを握っていない手で拡張型メニューボタン１０４ａをプレスしていると、ドラッグ＆タップ動作５２２８によって多重選択が行われるが、ペンを握っていない手で拡張型メニューボタン１０４ａをプレスしていないと、フリッキング５２３０によって画面フリッキングなどの作業が行われる。ただし、ペンを握った手とペンを握っていない手が互いに区分される必要はなく、タブレットを使用するためのより便利な環境を提供するために、ペンを握った手を用いる相互作用と、ペンを握っていない手を用いる相互作用とを互いに区分することができる。
【０１９４】
図５３は、ズームインとズームアウトによるノートレベルとページレベルとの間の画面表示転換を示した図である。図５３（Ａ）、図５３（Ｂ）及び図５３（Ｃ）に示したように、ノートレベルでのズームイン動作によってディスプレイ１０２に表示されるノートの数が予め定められた順（１６、４及び１の順序）に減少し、ズームアウト動作によって予め定められた順（１、４及び１６の順序）に増加する。ディスプレイ１０２に表示されるノートの数が１個である状態でズームイン動作を行うと、図５３（Ｄ）に示したように、ノートに対応する最大１６ページがディスプレイ１０２に表示される。この状態でズームインを継続して行うと、ディスプレイ１０２に表示されるページの数が１６、４及び１の順に段階的に減少する。すなわち、連続したズームイン動作によって１６ノート、４ノート、１ノート、１６ページ、４ページ及び１ページの順に表示が行われる。ズームアウトの場合は、連続したズームアウト動作によって１ページ、４ページ、１６ページ、１ノート、４ノート及び１６ノートの順に表示が行われる。ここで、１６、４及び１は、一つの画面に表示されるノート／ページの最大数を意味し、保存されているノート／ページの数がノート／ページの最大数より小さい場合、現在存在するノート／ページがディスプレイ１０２に表示される。例えば、現在存在するノートの数が７個であると、４ノート画面では、７個のノートが二つのグループ（４ノートと３ノート）に分けられ、３ノートがそれぞれ二つの４ノートの画面にそれぞれ表示される。一方、８ノート画面では、７個のノートが一つの画面に全て表示されるが、一つのノートに該当する空間が空いた状態になる。
【０１９５】
図５４は、一実施例に係るタブレット１００の画面フリッキング過程を示した図である。図５４を参照すると、ユーザーは、拡張型メニューボタン１０４ａをタッピングまたはプレシングすることなく、図５４（Ａ）に示したように、フリッキング動作によって画面をフリッキングすることができる。図５４（Ａ）では、一つの画面に４個のノートが表示されており、フリッキングによって４個のノートがディスプレイ１０２から消えた後、他の４個のノートが表示される。図５４（Ｂ）は、ページレベルでのフリッキングを示し、ノートレベルと同様に、ユーザーは、拡張型メニューボタン１０４ａをタッピングまたはプレシングすることなく、フリッキングによって画面をフリッキングすることができる。図５４（Ｂ）では、一つの画面に４個のページが表示されており、フリッキングによって４個のページがディスプレイ１０２から消えた後、他の４個のページが表示される。図５４（Ｃ）は、ディスプレイ１０２に一つのページのみが表示されているときのページフリッキングを示す。この場合、ユーザーが実際にページをめくるようにページの折り曲げが表現され、フリッキング音が生成されることによって、ユーザーにより良い実際感を提供することができる。また、図５４（Ｃ）に示したように、ページレベルで筆記入力が可能な単一のページ表示状態で拡張型メニューボタン１０４ａとその周辺の独立型メニューボタン１０４ｂ―１０４ｍが自動的に表示され、ユーザーの便宜を図ることができる。ただし、ペンを握った手とペンを握っていない手は互いに区分される必要はなく、タブレットを用いるためのより便利な環境を提供するために、ペンを握った手を用いる相互作用と、ペンを握っていない手を用いる相互作用とを互いに区分することができる。
【０１９６】
図５５は、一実施例のタブレット１００で動画再生と筆記／ドローイングを同時に行う過程を示した図である。図５５に示したように、ディスプレイ１０２の一部領域に動画５５０２が再生され、動画５５０２が再生される間に、動画５５０２が再生される領域を除いた領域に筆記／ドローイングを行うことができる。この機能により、ユーザーは、動画５５０２を視聴しながら動画５５０２の内容をメモしたり、動画５５０２に対する感じや考えなどを記録することができる。
【０１９７】
ここで記載された各装置内のプロセス、機能、方法及び／またはソフトウェアは、コンピューターによって具体化され、一つ以上のプロセッサにプログラム命令を実行または遂行させる一つ以上の非一時的なコンピューターで読み出し可能な保存媒体（コンピューターで読み出し可能な記録媒体）に記録、保存または固定され得る。媒体は、プログラム命令、データファイル、データ構造などの単独または組み合わせをさらに含むことができる。媒体及びプログラム命令は、特別に設計されて構成されたものであるか、または、コンピューターソフトウェア技術で熟練した者に公知及び利用可能なものである。非一時的なコンピューターで読み出し可能な保存媒体の各例は、ハードディスク、フロッピー（登録商標）ディスク及び磁気テープなどの磁気媒体と；ＣＤ  ＲＯＭディスク及びＤＶＤなどの光媒体と；光ディスクなどの光磁気媒体と；ＲＯＭ（ｒｅａｄ―ｏｎｌｙ  ｍｅｍｏｒｙ）、ＲＡＭ（ｒａｎｄｏｍ  ａｃｃｅｓｓ  ｍｅｍｏｒｙ）、フラッシュメモリなどのプログラム命令を保存及び遂行するために特別に構成されたハードウェアデバイスと；を含む。プログラム命令の各例は、コンパイラによって生成される機械コードと、インタプリターを用いてコンピューターによって実行される高いレベルコードを含むファイルとを含む。プログラム命令は、一つ以上のプロセッサまたは制御部によって実行され得る。前記のハードウェアデバイスは、前記の動作及び方法を行うために、一つ以上のコンピューターで読み出し可能な保存媒体に記録、保存または固定される一つ以上のソフトウェアモジュールとして作用するように構成されてもよい。さらに、非一時的なコンピューターで読み出し可能な保存媒体は、ネットワークを介して連結されたコンピューターシステムに分散され、命令内のコンピューターで読み出し可能なコードまたはプログラムは、分散的に保存及び実行され得る。さらに、コンピューターで読み出し可能な保存媒体は、少なくとも一つの特定用途向け集積回路（ＡＳＩＣ）またはフィールドプログラマブルゲートアレイ（ＦＰＧＡ）で具現される。
【０１９８】
以上、いくつかの実施例が図示及び説明されたが、開示の原理及び精神から逸脱することなく、これら実施例で変更が可能であることは当業者にとって明らかであり、開示の範囲は、特許請求の範囲及びその均等物で定義される。
【図１】
0006385827.tif 000002
【図２】
0006385827.tif 000003
【図３】
0006385827.tif 000004
【図４】
0006385827.tif 000005
【図５】
0006385827.tif 000006
【図６】
0006385827.tif 000007
【図７】
0006385827.tif 000008
【図８】
0006385827.tif 000009
【図９】
0006385827.tif 000010
【図１０】
0006385827.tif 000011
【図１１（Ａ）】
0006385827.tif 000012
【図１１（Ｂ）】
0006385827.tif 000013
【図１２】
0006385827.tif 000014
【図１３】
0006385827.tif 000015
【図１４】
0006385827.tif 000016
【図１５】
0006385827.tif 000017
【図１６】
0006385827.tif 000018
【図１７】
0006385827.tif 000019
【図１８（Ａ）】
0006385827.tif 000020
【図１８（Ｂ）】
0006385827.tif 000021
【図１９】
0006385827.tif 000022
【図２０（Ａ）】
0006385827.tif 000023
【図２０（Ｂ）】
0006385827.tif 000024
【図２１】
0006385827.tif 000025
【図２２（Ａ）】
0006385827.tif 000026
【図２２（Ｂ）】
0006385827.tif 000027
【図２３（Ａ）】
0006385827.tif 000028
【図２３（Ｂ）】
0006385827.tif 000029
【図２４】
0006385827.tif 000030
【図２５（Ａ）】
0006385827.tif 000031
【図２５（Ｂ）】
0006385827.tif 000032
【図２６】
0006385827.tif 000033
【図２７】
0006385827.tif 000034
【図２８】
0006385827.tif 000035
【図２９】
0006385827.tif 000036
【図３０】
0006385827.tif 000037
【図３１】
0006385827.tif 000038
【図３２】
0006385827.tif 000039
【図３３】
0006385827.tif 000040
【図３４】
0006385827.tif 000041
【図３５】
0006385827.tif 000042
【図３６】
0006385827.tif 000043
【図３７】
0006385827.tif 000044
【図３８】
0006385827.tif 000045
【図３９】
0006385827.tif 000046
【図４０】
0006385827.tif 000047
【図４１】
0006385827.tif 000048
【図４２】
0006385827.tif 000049
【図４３】
0006385827.tif 000050
【図４４】
0006385827.tif 000051
【図４５】
0006385827.tif 000052
【図４６】
0006385827.tif 000053
【図４７】
0006385827.tif 000054
【図４８】
0006385827.tif 000055
【図４９】
0006385827.tif 000056
【図５０】
0006385827.tif 000057
【図５１】
0006385827.tif 000058
【図５２（Ａ）】
0006385827.tif 000059
【図５２（Ｂ）】
0006385827.tif 000060
【図５２（Ｃ）】
0006385827.tif 000061
【図５３】
0006385827.tif 000062
【図５４（Ａ）】
0006385827.tif 000063
【図５４（Ｂ）】
0006385827.tif 000064
【図５４（Ｃ）】
0006385827.tif 000065
【図５５】
0006385827.tif 000066